(57)【特許請求の範囲】
【請求項１】
需要地において、発電設備によって生じる余剰電力の予測推移に基づいて、給湯機の沸き上げ運転を余剰電力のみで行える最長継続時間を取得する時間取得手段と、
前記最長継続時間と前記給湯機の１日当たりの予測給湯量とに基づいて、前記沸き上げ運転を商用電力のみで行った際の湯量である第１湯量を算出する第１湯量算出手段と、
前記第１湯量と前記予測給湯量とに基づいて、前記沸き上げ運転を前記余剰電力のみで行った際の湯量である第２湯量を算出する第２湯量算出手段と、
出力端末に、前記第１湯量に関する情報と前記第２湯量に関する情報とを含む通知情報をユーザへ提示させる提示手段と、を備える、制御装置。
【請求項２】
前記通知情報は、イベントの発生予定に基づいて前記第１湯量を調整することを許可するか否かユーザに問い合わせる問合せ情報をさらに含み、
前記第１湯量算出手段は、前記第１湯量を調整することをユーザが許可したことに応答して、前記イベントの発生予定に基づいて前記第１湯量を調整する、請求項１に記載の制御装置。
【請求項３】
前記提示手段は、前記出力端末に、前記沸き上げ運転を余剰電力のみで行った際の湯量の実測値を示す情報と、前記沸き上げ運転を余剰電力のみで行った時間の実測値を示す情報と、前記沸き上げ運転を余剰電力のみで行った際に前記給湯機が消費した余剰電力の量の実測値を示す情報と、前記沸き上げ運転を余剰電力のみで行った際に前記給湯機が消費した余剰電力の量の実測値と同じ量に対応する商用電力の価格を示す情報と、前記第２湯量の予測値に関する情報と、のうち少なくとも一つを含む効果報知情報をユーザへ提示させる、請求項１又は２に記載の制御装置。
【請求項４】
前記給湯機は、制御モードとして第１制御モードと第２制御モードとを備え、
前記第１湯量算出手段は、前記第１制御モードと前記第２制御モードとのうちユーザが選択した制御モードに応じた前記第１湯量を算出し、
前記第２湯量算出手段は、前記ユーザが選択した制御モードに応じた前記第２湯量を算出する、請求項１から３のいずれか１項に記載の制御装置。
【請求項５】
前記通知情報は、前記第１制御モードに応じた前記第１湯量及び前記第２湯量に関する情報と、前記第２制御モードに応じた前記第１湯量及び前記第２湯量に関する情報と、を含む、請求項４に記載の制御装置。
【請求項６】
イベントの発生予定と、季節の判定結果と、の少なくとも一つに応じて前記予測給湯量を取得する予測給湯量取得手段をさらに備える、請求項１から５のいずれか１項に制御装置。
【請求項７】
前記予測給湯量取得手段は、発生が予定されているイベントの影響による前記給湯機によって給湯される湯を使用する人間の数の増減量と、発生が予定されているイベントの影響による前記給湯機の給湯量の増減量と、の少なくとも一つに応じて前記予測給湯量を取得する、請求項６に記載の制御装置。
【請求項８】
前記予測給湯量取得手段は、日付と、前記需要地を含む地域における気温と、前記給湯機による給湯量と、の少なくとも一つに従って季節を判定し、当該判定の結果に応じて前記予測給湯量を取得する、請求項６又は７に記載の制御装置。
【請求項９】
前記通知情報は、前記第２湯量を示す情報と、前記第２湯量を沸き上げる際に前記給湯機が消費する余剰電力の量である余剰活用電力量を示す情報と、前記余剰活用電力量と同じ量に対応する商用電力の価格である電気料金削減額を示す情報と、湯切れが発生する可能性をユーザへ警告する情報と、湯の使用用途と平均使用湯量とを互いに対応付けて含む情報と、前記第２湯量の調整をユーザへ促す情報と、ユーザによって調整された前記第２湯量に関する情報と、のうち少なくとも一つを含む、請求項１から８のいずれか１項に記載の制御装置。
【請求項１０】
請求項１から９のいずれか１項に記載の制御装置と、
前記給湯機と、
前記発電設備と、
前記出力端末と、を備える、電力管理システム。
【請求項１１】
需要地において、発電設備によって生じる余剰電力の予測推移に基づいて、給湯機の沸き上げ運転を余剰電力のみで行える最長継続時間を取得し、
前記最長継続時間と前記給湯機の１日当たりの予測給湯量とに基づいて、前記沸き上げ運転を商用電力のみで行った際の湯量である第１湯量を算出し、
前記第１湯量と前記予測給湯量とに基づいて、前記沸き上げ運転を前記余剰電力のみで行った際の湯量である第２湯量を算出し、
出力端末に、前記第１湯量に関する情報と前記第２湯量に関する情報とを含む通知情報をユーザへ提示させる、情報提示方法。
【請求項１２】
コンピュータを、
需要地において、発電設備によって生じる余剰電力の予測推移に基づいて、給湯機の沸き上げ運転を余剰電力のみで行える最長継続時間を取得する時間取得手段、
前記最長継続時間と前記給湯機の１日当たりの予測給湯量とに基づいて、前記沸き上げ運転を商用電力のみで行った際の湯量である第１湯量を算出する第１湯量算出手段、
前記第１湯量と前記予測給湯量とに基づいて、前記沸き上げ運転を前記余剰電力のみで行った際の湯量である第２湯量を算出する第２湯量算出手段、
出力端末に、前記第１湯量に関する情報と前記第２湯量に関する情報とを含む通知情報をユーザへ提示させる提示手段、として機能させる、プログラム。
【発明の詳細な説明】
【技術分野】
【０００１】
本発明は、制御装置、電力管理システム、情報提示方法及びプログラムに関する。
【背景技術】
【０００２】
近年、太陽光及び風力に代表される自然エネルギーによって発電する発電設備を、一般家庭における電力需要家自身が所有するケースが増えている。このような電力需要家は、発電設備による発電電力を自ら消費することによって、商用電力系統から購入する電力を減少させることができる。【０００３】
例えば、特許文献１は、ユーザが翌日使う湯を、深夜に商用電力を利用して生成する代わりに、翌日の昼間に太陽光発電で発電された電力を利用して生成することにより、使用する商用電力を削減する貯湯式給湯器を開示している。
【先行技術文献】
【特許文献】
【０００４】
【特許文献１】特開２００８−００２７０３号公報
【発明の概要】
【発明が解決しようとする課題】
【０００５】
ところで、特許文献１に開示される技術のように、太陽光発電を利用して湯を沸き上げて、夜間に利用する商用電力の削減を図る場合、その分、夜間に沸き上げる湯量は減少する。このため、例えば、朝方に通常より多くの湯を使用する場合、湯切れが生じる可能性もある。しかしながら、このような、発電設備の電力を活用して湯を沸き上げる際の影響を事前にユーザに提示する技術については、未だ有用な提案がなされていないのが実情である。【０００６】
本発明は、上記実情に鑑みてなされたものであり、発電設備によって生じる余剰電力を活用した給湯機の沸き上げ運転が及ぼす影響をユーザが直感的に把握することができる制御装置等を提供することを目的とする。
【課題を解決するための手段】
【０００７】
上記目的を達成するため、本発明に係る制御装置は、
需要地において、発電設備によって生じる余剰電力の予測推移に基づいて、給湯機の沸き上げ運転を余剰電力のみで行える最長継続時間を取得する時間取得手段と、
前記最長継続時間と前記給湯機の１日当たりの予測給湯量とに基づいて、前記沸き上げ運転を商用電力のみで行った際の湯量である第１湯量を算出する第１湯量算出手段と、
前記第１湯量と前記予測給湯量とに基づいて、前記沸き上げ運転を前記余剰電力のみで行った際の湯量である第２湯量を算出する第２湯量算出手段と、
出力端末に、前記第１湯量に関する情報と前記第２湯量に関する情報とを含む通知情報をユーザへ提示させる提示手段と、を備える。
【発明の効果】
【０００８】
本発明は、給湯機の沸き上げ運転を商用電力のみで行った際の湯量である第１湯量に関する情報と、沸き上げ運転を余剰電力のみで行った際の湯量である第２湯量に関する情報と、をユーザへ提示する。従って、本発明によれば、ユーザは、余剰電力を活用した給湯機の沸き上げ運転が及ぼす影響を直感的に把握することができる。
【図面の簡単な説明】
【０００９】
【図１】本発明の実施の形態に係る電力管理システムの全体構成を示す図
【図２】実施の形態において発電電力及び総消費電力の推移の例を示す図
【図３】実施の形態に係る給湯機に備えられたヒートポンプユニットの構成を示す図
【図４】実施の形態に係る制御装置のハードウェア構成を示すブロック図
【図５】実施の形態に係る管理サーバのハードウェア構成を示すブロック図
【図６】実施の形態に係る管理サーバの機能的な構成を示すブロック図
【図７】実施の形態におけるデータベースに記憶される情報を示す図
【図８】実施の形態における予測情報の一例を示す図
【図９】実施の形態に係る制御装置の機能的な構成を示すブロック図
【図１０】実施の形態におけるカレンダー情報の一例を示す図
【図１１】実施の形態に係る動作設定部の構成を示すブロック図
【図１２】実施の形態に係る給湯機における貯湯量の推移の例を示す図
【図１３】実施の形態における設定画面の一例を示す図
【図１４】実施の形態における許可画面の第１の例を示す図
【図１５】実施の形態における運転報知画面の一例を示す図
【図１６】実施の形態における効果報知画面の一例を示す図
【図１７】実施の形態に係る制御装置によって実行される制御処理の流れを示すフローチャート
【図１８】実施の形態に係る制御装置によって実行される一日の沸き上げ湯量決定処理の流れを示すフローチャート
【図１９】実施の形態に係る制御装置によって実行されるカレンダーマージン決定処理の流れを示すフローチャート
【図２０】実施の形態に係る制御装置によって実行される季節マージン決定処理の流れを示すフローチャート
【図２１】実施の形態に係る制御装置によって実行される夜間目標貯湯量算出処理の流れを示すフローチャート
【図２２】実施の形態に係る制御装置によって実行される共通処理の流れを示すフローチャート
【図２３】実施の形態に係る制御装置によって実行される第１処理の流れを示すフローチャート
【図２４】実施の形態に係る制御装置によって実行される第２処理の流れを示すフローチャート
【図２５】実施の形態に係る制御装置によって実行される情報生成処理の流れを示すフローチャート
【図２６】実施の形態に係る制御装置によって実行される沸き上げ処理の流れを示すフローチャート
【図２７】実施の形態に係る制御装置によって実行される効果報知処理の流れを示すフローチャート
【図２８】本発明の変形例に係る電力管理システムの全体構成を示す図
【図２９】許可画面の第２の例を示す図
【図３０】許可画面の第３の例を示す図
【図３１】許可画面の第４の例を示す図
【図３２】許可画面の第５の例を示す図
【図３３】運転報知画面の他の例を示す図
【図３４】本発明の変形例に係る制御装置によって実行されるカレンダーマージン決定処理の流れを示すフローチャート
【図３５】本発明の変形例に係る制御装置によって実行される季節マージン決定処理の流れを示すフローチャート
【発明を実施するための形態】
【００１０】
以下、本発明の実施の形態について、図面を参照しながら詳細に説明する。なお、図中同一又は相当部分には同一符号を付す。
【００１１】
図１に、実施の形態に係る電力管理システム１の全体構成を示す。電力管理システム１は、家屋Ｈで消費される電力を管理する、いわゆるＨＥＭＳ（Home Energy Management System）と呼ばれるシステムである。図１に示すように、電力管理システム１は、発電設備２と、電力計測装置３と、給湯機４と、複数の電気機器５（５ａ、５ｂ、…）と、制御装置６と、操作端末７と、管理サーバ８と、気象サーバ９と、を備える。
【００１２】
＜発電設備２＞
発電設備２は、家屋Ｈに設置され、自然エネルギーである太陽光によって発電する自家発電設備である。商用電力系統１０が家屋Ｈを含む不特定多数の需要地に電力を供給するのに対して、発電設備２は、特定の需要家によって所有され、特定の需要地である家屋Ｈに電力を供給する。発電設備２は、分散型電源とも呼ぶ。
【００１３】
発電設備２は、太陽光発電するＰＶ（Photovoltaic）パネル２０と、パワーコンディショニングシステムであるＰＶ−ＰＣＳ２１と、を備える。ＰＶパネル２０は、例えば多結晶シリコン型のソーラパネルである。ＰＶパネル２０は、家屋Ｈの屋根の上に設置され、太陽光エネルギーを電気エネルギーに変換することで発電する。
【００１４】
ＰＶ−ＰＣＳ２１は、ＰＶパネル２０において発電された電力の供給を受け、供給された電力を、電力線Ｄ２を介して分電盤１１に出力する。その際、ＰＶ−ＰＣＳ２１は、ＰＶパネル２０から供給された電力を、家屋Ｈ内で使用できるように、直流電力から交流電力に規定の変換効率で変換して出力する。
【００１５】
ＰＶ−ＰＣＳ２１は、いずれも図示しないが、ＣＰＵ（Central Processing Unit）、ＲＯＭ（Read Only Memory）、ＲＡＭ（Random Access Memory）、無線通信インタフェース及び読み書き可能な不揮発性の半導体メモリを備える。ＰＶ−ＰＣＳ２１は、家屋Ｈ内に構築された図示しない宅内ネットワークを介して、制御装置６と通信する。宅内ネットワークは、例えば、エコーネットライト（ECHONET Lite）に準じたネットワークである。なお、ＰＶ−ＰＣＳ２１は、外付けの通信アダプタ（図示せず）を介して、宅内ネットワークに接続される仕様であっても良い。
【００１６】
＜電力計測装置３＞
電力計測装置３は、家屋Ｈに配設された電力線Ｄ１〜Ｄ３のそれぞれを送電される電力の値を計測する。電力線Ｄ１は、商用電力系統１０と分電盤１１との間に配設され、電力線Ｄ２は、発電設備２と分電盤１１との間に配設され、電力線Ｄ３は、分電盤１１と給湯機４との間に配設されている。電力計測装置３は、電力線Ｄ１〜Ｄ３にそれぞれ接続されたＣＴ（Current Transformer）１〜ＣＴ３の各々と通信線を介して接続される。ＣＴ１〜ＣＴ３は、交流電流を計測するセンサである。
【００１７】
電力線Ｄ１に配設されたＣＴ１は、商用電力系統１０から家屋Ｈに供給される電力Ｐ１を計測する。電力Ｐ１は、家屋Ｈにおいて当該需要家が電気事業者から買った電力である商用電力に相当する。電力線Ｄ２に配設されたＣＴ２は、発電設備２から分電盤１１に出力される電力Ｐ２を計測する。電力Ｐ２は、発電設備２による発電電力であって、家屋Ｈ内に供給され、家屋Ｈ内で使用可能な電力に相当する。電力線Ｄ３に配設されたＣＴ３は、分電盤１１から給湯機４に供給される電力Ｐ３を計測する。電力Ｐ３は、給湯機４において消費される電力に相当する。
【００１８】
給湯機４及び複数の電気機器５を含む家屋Ｈ内の全ての電気機器で消費される総消費電力である電力Ｐｔは、ＣＴ１によって計測される電力Ｐ１と、ＣＴ２によって計測される電力Ｐ２と、の和に相当する。
【００１９】
図２に、一般的な家庭における電力Ｐ２と電力Ｐｔの一日における推移の例を示す。図２中の実線で示される曲線は、電力Ｐ２の推移を表しており、日射量が多くなる正午をピークとして昼間に大きくなる。これに対して、図２中の破線で示される曲線は、電力Ｐｔを表しており、午後から夕方にかけて大きくなる。
【００２０】
図２における期間Ｔ１，Ｔ３のように、電力Ｐ２が電力Ｐｔより小さい場合、電力Ｐ２だけでは家屋Ｈで必要な電力を供給できないため、商用電力系統１０から電力の供給を受ける、すなわち、買電する必要がある。そのため、商用電力である電力Ｐ１は正の値になる。これに対して、図２における期間Ｔ２のように、電力Ｐ２が電力Ｐｔより大きい場合、家屋Ｈの需要家は、余った電力を逆潮電力として商用電力系統１０へ供給することで、電気事業者に電力を売る、すなわち、売電することができる。このように、家屋Ｈから商用電力系統１０へ電力が供給されることで電力が需要家側から電気事業者側へ戻ることを、「逆潮流」という。逆潮流が生じている間は、電力Ｐ１は負の値になり、逆潮電力（売電電力）は（−Ｐ１）として表される。
【００２１】
また、電力計測装置３は、無線通信インタフェースを備え、宅内ネットワークを介して、制御装置６と通信する。なお、電力計測装置３は、外付けの通信アダプタ（図示せず）を介して、宅内ネットワークに接続される仕様であっても良い。
【００２２】
電力計測装置３は、自装置の機器ＩＤ（identification）と、現在時刻（計測時刻を意味する。）と、電力Ｐ１〜Ｐ３それぞれの計測値と各電力線の電力線ＩＤとを互いに対応付けたデータと、を含む電力計測データを制御装置６に定期的に（例えば、１分毎に）送信する。機器ＩＤは、制御装置６に接続する機器（電力計測装置３、給湯機４、電気機器５（５ａ，５ｂ，…））を識別するためのＩＤである。電力線ＩＤは、電力線を識別するためのＩＤである。なお、電力計測装置３によって制御装置６に送信される電力の計測値は、電力（ワット）の単位で表されるものであっても良いし、電力を予め設定された積算時間に亘って積算した電力量の単位で表されるものであっても良い。
【００２３】
＜給湯機４＞
図１に戻って、給湯機４は、ヒートポンプユニット４０とタンクユニット４１とを備える貯湯式の給湯機である。ヒートポンプユニット４０とタンクユニット４１とは、湯水が流れる水配管４２で接続されている。給湯機４は、分電盤１１により分岐された電力線Ｄ３を介して、商用電力系統１０及び発電設備２と電気的に接続されており、商用電力系統１０又は発電設備２から電力を得て動作する。
【００２４】
ヒートポンプユニット４０は、ＣＯ２（二酸化炭素）又はＨＦＣ（ハイドロフルオロカーボン）を冷媒として用いたヒートポンプ式の熱源器である。ヒートポンプユニット４０は、周辺の空気を熱源として、貯湯タンク４１０内の低温水を高温水に沸き上げる。図３に示すように、ヒートポンプユニット４０は、圧縮機４００と、第１の熱交換器４０１と、膨張弁４０２と、第２の熱交換器４０３と、送風機４０４と、水ポンプ４０５と、制御基板４０６と、を備える。
【００２５】
圧縮機４００と、第１の熱交換器４０１と、膨張弁４０２と、第２の熱交換器４０３と、は、冷媒配管４０７により環状に接続される。これにより、冷媒が循環する冷媒回路が形成されている。冷媒回路は、ヒートポンプ又は冷凍サイクルともいう。水配管４２は、貯湯タンク４１０の下部を起点に、水ポンプ４０５及び第１の熱交換器４０１を経て貯湯タンク４１０の上部に戻る。これにより、湯水が循環する沸き上げ回路が形成されている。
【００２６】
圧縮機４００は、冷媒を圧縮して温度及び圧力を上昇させる。圧縮機４００は、駆動周波数に応じて、単位当たりの送り出し量である容量を変化させることができるインバータ回路を備える。圧縮機４００は、制御基板４０６からの指示に従って上記の容量を変更する。
【００２７】
第１の熱交換器４０１は、市水を目標の沸き上げ温度まで昇温加熱するための加熱源である。沸き上げ温度は、貯湯温度ともいう。第１の熱交換器４０１は、プレート式、二重管式等の熱交換器であり、冷媒配管４０７を循環する冷媒と貯湯タンク４１０から送られてきた水との間で熱交換を行う。第１の熱交換器４０１における熱交換により、冷媒は放熱して温度が下降し、水は吸熱して温度が上昇する。
【００２８】
膨張弁４０２は、冷媒を膨張させて温度及び圧力を下降させる。膨張弁４０２は、制御基板４０６からの指示に従って弁開度を変更する。
【００２９】
第２の熱交換器４０３は、送風機４０４により送られてきた外気と冷媒との間で熱交換を行う。第２の熱交換器４０３における熱交換により冷媒は吸熱して温度が上昇し、外気は放熱して温度が下降する。
【００３０】
水ポンプ４０５は、貯湯タンク４１０の下部からの低温水を第１の熱交換器４０１へ搬送する。水ポンプ４０５は、インバータ回路を備え、制御基板４０６から指示される制御値に従って駆動回転数を変更することにより、搬送する際の水流量を変化させる。
【００３１】
制御基板４０６は、ＣＰＵ、ＲＯＭ、ＲＡＭ、通信インタフェース及び読み書き可能な不揮発性の半導体メモリを備える。制御基板４０６は、圧縮機４００、膨張弁４０２、送風機４０４及び水ポンプ４０５のそれぞれと図示しない通信線を介して通信可能に接続され、これらの動作を制御する。また、制御基板４０６は、図示しない通信線を介してタンクユニット４１の給湯コントローラ４１１と通信可能に接続されている。
【００３２】
図１に戻って、タンクユニット４１は、貯湯タンク４１０、給湯コントローラ４１１及び混合弁４１２を備える。これらの構成部品は、金属製の外装ケース内に収められている。
【００３３】
貯湯タンク４１０は、ステンレス等の金属、樹脂等で形成されている。貯湯タンク４１０の外側には断熱材が配置されている。これにより、貯湯タンク４１０内で、高温の湯を長時間に亘って保温することができる。
【００３４】
給湯コントローラ４１１は、いずれも図示しないが、ＣＰＵ、ＲＯＭ、ＲＡＭ、通信インタフェース及び読み書き可能な不揮発性の半導体メモリを備え、給湯機４を統括的に制御する。給湯コントローラ４１１は、ヒートポンプユニット４０の制御基板４０６と図示しない通信線を介して通信可能に接続する。また、給湯コントローラ４１１は、通信線４３を介してリモコン４４と通信可能に接続する。さらに、給湯コントローラ４１１は、宅内ネットワークを介して、制御装置６と通信可能に接続する。
【００３５】
リモコン４４は、家屋Ｈにおける浴室に設置され、ユーザから、沸き上げ、給湯等に関する操作入力を受け付けたり、給湯機４の運転状態、貯湯状態等を表示してユーザに提示したりするための給湯機４専用の端末装置である。
【００３６】
リモコン４４は、いずれも図示しないが、ＣＰＵ、ＲＯＭ、ＲＡＭ、読み書き可能な不揮発性の半導体メモリ、押しボタン、タッチパネル、タッチパッド等の入力デバイス、有機ＥＬディスプレイ、液晶ディスプレイ等の表示デバイス、及び、通信インタフェースを備える。
【００３７】
続いて、給湯機４における基本的な動作について説明する。給湯機４は、大別すると、沸き上げ動作と給湯動作を行う。
<<沸き上げ動作>>
沸き上げ動作の開始時には、貯湯タンク４１０内の高温水は消費されており、貯湯タンク４１０の下部には市水の温度に近い低温水が貯留している。水ポンプ４０５を作動させることで、この低温水がヒートポンプユニット４０の第１の熱交換器４０１に入水され、冷媒との熱交換により昇温し、高温水となる。この高温水は貯湯タンク４１０の上部に戻され、貯湯タンク４１０内では、上部に高温水、下部に低温水が滞留して温度成層が形成され、高温水と低温水との間には温度境界層が生成される。
【００３８】
沸き上げ量が増えて、高温水の領域が大きくなると貯湯タンク４１０の下部に温度境界層が近づき、第１の熱交換器４０１に入水する水の温度である入水温度が次第に上昇する。
【００３９】
<<給湯動作>>
貯湯タンク４１０の上部には出湯管が接続されており、貯湯タンク４１０からこの出湯管を介して出湯した高温水が、混合弁４１２にて市水と混合される。これにより、ユーザが所望する温度（例えば４０℃）の湯水となって、例えば浴室に配設されたシャワー４５、蛇口４６等の給湯端末に供給される。このとき、貯湯タンク４１０では、上部から流出した高温水の体積分、水道圧により、下部に接続された給水管（図示せず）から市水が供給される。これにより、貯湯タンク４１０内では温度境界層が上方へ移動する。高温水が予め設定された起動貯湯量Ｗｏｎよりも少なくなると、給湯機４は、追加沸き上げを行う。
【００４０】
上述した出湯管には、貯湯タンク４１０から出湯される湯の量である使用湯量（給湯量ともいう。）を計測する図示しない使用湯量センサが設けられている。使用湯量は、家屋Ｈで使用される湯の量に相当する。また、貯湯タンク４１０には、貯湯タンク４１０内に貯留する湯の量である貯湯量を計測する図示しない貯湯量センサが設けられている。使用湯量センサ及び貯湯量センサは、図示しない通信線を介して給湯コントローラ４１１と通信可能に接続されている。給湯コントローラ４１１は、使用湯量センサの計測によって得られた使用湯量と、貯湯量センサの計測によって得られた貯湯量と、を含む湯量計測データを生成し、制御装置６に定期的に送信する。具体的に、給湯コントローラ４１１は、１分毎に湯量計測データを生成し、制御装置６に送信する。送信される湯量計測データは、給湯機４の機器ＩＤ及び計測時刻を含む。
【００４１】
給湯機４は、複数の制御モードを備え、当該複数の制御モードのうちユーザによって選択された何れかの制御モードに従って湯を沸き上げる。具体的に、給湯機４は、制御モードとして、停止モード、通常モード、多めモード、少なめモード、自動モード及び提案モードを備えている。各制御モードの詳細については、後述する。
【００４２】
＜電気機器５ａ、５ｂ、…＞
電気機器５（電気機器５ａ，５ｂ，…）は、例えば、エアコン、照明器、床暖房システム、冷蔵庫、ＩＨ（Induction Heating）調理器、テレビ等の電気機器である。電気機器５ａ，５ｂ，…は、家屋Ｈ又はその敷地内に設置され、分電盤１１により分岐された電力線Ｄ４，Ｄ５，…を介して、商用電力系統１０及び発電設備２と電気的に接続されている。
【００４３】
各電気機器５は、無線通信インタフェースを備え、宅内ネットワークを介して、制御装置６と通信する。なお、各電気機器５は、外付けの通信アダプタ（図示せず）を介して、宅内ネットワークに接続される仕様であっても良い。各電気機器５は、制御装置６からの要求に応答して、機器ＩＤと現在時刻と現在の運転状態を示す情報とを格納した運転状態データを、宅内ネットワークを介して制御装置６に送信する。
【００４４】
＜制御装置６＞
制御装置６は、家屋Ｈ内の適切な場所に設置され、家屋Ｈ内に設置された各機器から宅内ネットワークを介して送信される情報を収集する情報収集ユニットである。制御装置６は、一例として、家屋Ｈ内に設置された各機器を統合的に制御することが可能なＨＥＭＳコントローラである。図４に示すように、制御装置６は、制御部６０と、記憶部６１と、計時部６２と、宅内通信部６３と、宅外通信部６４と、を備える。これら各部はバス６５を介して接続されている。
【００４５】
制御部６０は、いずれも図示しないが、ＣＰＵ、ＲＯＭ及びＲＡＭを備える。ＣＰＵは、様々な処理及び演算を実行する処理部であって、中央処理装置、中央演算装置、プロセッサ、マイクロプロセッサ、マイクロコンピュータ、ＤＳＰ（Digital Signal Processor）等とも呼ばれる。制御部６０において、ＣＰＵは、ＲＯＭに格納されたプログラム及びデータを読み出し、ＲＡＭをワークエリアとして用いて、制御装置６を統括制御する。
【００４６】
記憶部６１は、例えば、フラッシュメモリ、ＥＰＲＯＭ（Erasable Programmable ROM）、ＥＥＰＲＯＭ（Electrically Erasable Programmable ROM）等の不揮発性の半導体メモリ又はＨＤＤ（Hard Disk Drive）であって、いわゆる二次記憶装置（補助記憶装置ともいう。）としての役割を担う。記憶部６１は、制御部６０が各種処理を行うために使用する各種プログラム及びデータ、並びに、制御部６０が各種処理を行うことにより生成又は取得する各種データを記憶する。
【００４７】
計時部６２は、ＲＴＣ（Real Time Clock）を備えており、制御装置６の電源がオフの間も計時を継続する計時デバイスである。
【００４８】
宅内通信部６３は、家屋Ｈ内に構築された宅内ネットワークを介して通信するためのＮＩＣ（Network Interface Card controller）を備える。宅内通信部６３は、制御部６０の制御のもと、発電設備２、電力計測装置３、給湯機４及び電気機器５のそれぞれと宅内ネットワークを介して通信する。
【００４９】
また、宅内通信部６３は、操作端末７と無線通信又は有線通信するためのＮＩＣを備える。宅内通信部６３は、操作端末７と、Ｗｉ−Ｆｉ（登録商標）、Ｗｉ−ＳＵＮ（登録商標）、有線ＬＡＮ等の周知の通信規格に則った通信を行う。
【００５０】
宅外通信部６４は、ルータ１２を介して広域ネットワークＮに接続するための通信インタフェースを備え、制御部６０の制御のもと、広域ネットワークＮを介して管理サーバ８及び気象サーバ９を含む外部の機器と通信する。ルータ１２は、広域ネットワークＮを介して外部の機器と通信することができる装置であって、例えばブロードバンドルータである。広域ネットワークＮは、例えばインターネットである。
【００５１】
制御装置６の機能の詳細については、後述する。
【００５２】
＜操作端末７＞
図１に戻って、操作端末７は、スマートフォン、タブレット端末、携帯電話、ノート型パソコン等の携帯機器であって、ユーザインタフェースとして機能する。操作端末７は、本発明に係る出力端末の一例である。操作端末７は、押しボタン、タッチパネル、タッチパッド等の入力デバイスと、有機ＥＬ（Electroluminescence）ディスプレイ、液晶ディスプレイ等の表示デバイスと、通信インタフェースとを備える。操作端末７は、ユーザからの操作を受け付け、受け付けた操作内容を示す情報を制御装置６に送信する。また、操作端末７は、制御装置６から送信された、ユーザに提示するための情報を受信し、受信した情報をユーザに提示する。
【００５３】
＜管理サーバ８＞
管理サーバ８は、制御装置６のメーカ、販売会社等によって管理され、制御装置６と連携して電力管理システム１を機能させるサーバである。管理サーバ８は、例えばクラウドコンピューティングにおけるリソースを提供するサーバである。管理サーバ８は、家屋Ｈを含む顧客宅におけるエネルギー使用状況を管理する。図５に示すように、管理サーバ８は、制御部８０と、記憶部８１と、通信部８２と、を備える。これら各部はバス８３を介して接続されている。
【００５４】
制御部８０は、ＣＰＵ、ＲＯＭ及びＲＡＭを備える。ＣＰＵは、様々な処理及び演算を実行する処理部であって、中央処理装置、中央演算装置、プロセッサ、マイクロプロセッサ、マイクロコンピュータ、ＤＳＰ等とも呼ぶ。制御部８０において、ＣＰＵは、ＲＯＭに格納されたプログラム及びデータを読み出し、ＲＡＭをワークエリアとして用いて、管理サーバ８を統括制御する。
【００５５】
記憶部８１は、フラッシュメモリ、ＥＰＲＯＭ、ＥＥＰＲＯＭ等の不揮発性の半導体メモリ又はＨＤＤであって、いわゆる二次記憶装置としての役割を担う。記憶部８１は、制御部８０が各種処理を行うために使用するプログラム及びデータ、並びに、制御部８０が各種処理を行うことにより生成又は取得するデータを記憶する。
【００５６】
通信部８２は、広域ネットワークＮに接続するための通信インタフェースを備え、制御部８０の制御のもと、広域ネットワークＮを介して制御装置６及び気象サーバ９と通信する。管理サーバ８の機能の詳細については後述する。
【００５７】
＜気象サーバ９＞
図１に戻って、気象サーバ９は、気象庁、気象事業者等によって運営されるデータサーバであって、気象情報を一般に利用可能に提供する。気象情報とは、天気、気温、日射量、日照時間、風向き等のような、気象の予報及び実績に関する情報である。気象サーバ９は、各需要地に設置された制御装置６と広域ネットワークＮを介して通信可能に接続されており、広域ネットワークＮを介して気象情報を配信する。
【００５８】
続いて管理サーバ８の機能について詳細に説明する。管理サーバ８は、機能的に、図６に示すように、気象情報取得部８００と、電力取得部８１０と、湯量取得部８２０と、予測部８３０と、予測情報送信部８４０と、湯量情報生成部８５０と、湯量情報送信部８６０と、を備える。これらの各機能は、ソフトウェア、ファームウェア、又は、ソフトウェアとファームウェアとの組み合わせによって実現される。ソフトウェア及びファームウェアは、プログラムとして記述され、管理サーバ８におけるＲＯＭ又は記憶部８１に格納される。そして、制御部８０において、ＣＰＵが、ＲＯＭ又は記憶部８１に記憶されたプログラムを実行することによって、各部の機能を実現する。また、管理サーバ８は、データベース８７０を備える。データベース８７０は、記憶部８１の記憶領域に構築される。
【００５９】
気象情報取得部８００は、制御部８０が通信部８２と協働することによって実現され、気象サーバ９から気象情報を取得する。気象情報は、家屋Ｈを含む地域における天気、日射量、日照時間、気温等の予報である気象予報と、これらの過去の実績である気象実績と、を含んでおり、発電設備２による発電電力である電力Ｐ２を予測するためのパラメータとして用いられる。
【００６０】
気象情報取得部８００は、広域ネットワークＮを介して気象サーバ９に要求を送信し、要求に対する応答として気象サーバ９から気象情報を取得する。気象情報取得部８００は、気象サーバ９において気象情報が更新される毎に気象サーバ９から気象情報を取得し、取得した気象情報をデータベース８７０に格納する。
【００６１】
電力取得部８１０は、制御部８０が通信部８２と協働することによって実現され、各顧客の制御装置６から、商用電力である電力Ｐ１の計測値と、発電電力である電力Ｐ２の計測値と、給湯機４に供給される電力Ｐ３の計測値と、家屋Ｈにおける総消費電力である電力Ｐｔの計測値と、を取得する。詳細には、電力取得部８１０は、後述する制御装置６によって、電力Ｐ１〜Ｐ３、Ｐｔの計測値の一定期間分（例えば、１時間分）の履歴が格納された電力履歴データが広域ネットワークＮを介して送信されると、かかる電力履歴データを受信して、各電力の計測値の履歴を取得する。電力取得部８１０は、取得した各電力の計測値の履歴をデータベース８７０に格納する。また、電力取得部８１０は、電力Ｐｔの計測値の各履歴から電力Ｐ３の計測値の各履歴を差し引いて、消費電力（以下、電力Ｐｃという。）の値をそれぞれ算出し、これらの値を電力Ｐｃの計測値の履歴としてデータベース８７０に格納する。
【００６２】
電力取得部８１０によって取得される電力Ｐ１〜Ｐ３、Ｐｔの計測値は、電力（ワット）の単位で表されるものであっても良いし、電力を予め設定された積算時間に亘って積算した電力量の単位で表されるものであっても良い。
【００６３】
湯量取得部８２０は、制御部８０が通信部８２と協働することによって実現され、各顧客の制御装置６から、使用湯量の計測値と、貯湯量の計測値と、を取得する。具体的に説明すると、湯量取得部８２０は、後述する制御装置６によって、使用湯量の計測値及び貯湯量の計測値の一定期間分（例えば、１時間分）の履歴が格納された湯量履歴データが広域ネットワークＮを介して送信されると、かかる湯量履歴データを受信して、使用湯量及び貯湯量の計測値の履歴を取得する。湯量取得部８２０は、取得した計測値の履歴をデータベース８７０に格納する。
【００６４】
データベース８７０は、顧客別に、気象情報取得部８００によって取得された気象情報と、電力取得部８１０によって取得された電力Ｐ１〜Ｐ３、Ｐｔの計測値と、湯量取得部８２０によって取得された使用湯量及び貯湯量の計測値と、を記憶する。具体的に説明すると、データベース８７０は、図７に示すように、気象予報情報８７１と、気象実績情報８７２と、発電電力情報８７３と、消費電力情報８７４と、使用湯量情報８７５と、貯湯量情報８７６と、を記憶する。
【００６５】
気象予報情報８７１は、家屋Ｈを含む地域における翌日の気象予報を示す情報である。気象実績情報８７２は、家屋Ｈを含む地域における過去の気象実績を示す情報である。発電電力情報８７３は、家屋Ｈにおける発電電力である電力Ｐ２の計測値を示す情報である。消費電力情報８７４は、家屋Ｈにおける電力Ｐ１、Ｐ３、Ｐｔの計測値を示す情報である。使用湯量情報８７５は、家屋Ｈにおける使用湯量の計測値を示す情報である。貯湯量情報８７６は、給湯機４の貯湯タンク４１０内の貯湯量の計測値を示す情報である。気象実績情報８７２、発電電力情報８７３及び消費電力情報８７４は、それぞれ予め定めた蓄積期間分（例えば、１年分）の気象実績、電力Ｐ２の計測値及び電力Ｐ１、Ｐ３、Ｐｔの計測値を、時系列順に格納している。また、使用湯量情報８７５及び貯湯量情報８７６は、それぞれ上記蓄積期間分の使用湯量の計測値及び貯湯量の計測値を、時系列順に格納している。データベース８７０に記憶されているこれらの情報は、気象情報取得部８００、電力取得部８１０又は湯量取得部８２０によってデータが取得される毎に更新される。
【００６６】
図６に戻って、予測部８３０は、制御部８０が記憶部８１と協働することによって実現され、気象情報取得部８００によって取得された気象情報と、電力取得部８１０によって取得された電力Ｐ２、Ｐ３、Ｐｔの計測値と、に基づいて、家屋Ｈにおける翌日の余剰電力の推移を予測する。ここでの余剰電力（以下、電力Ｐｓという。）とは、発電設備２による発電電力である電力Ｐ２が、家屋Ｈの消費電力である電力Ｐｃを超えた際の超過分の電力のことをいう。すなわち、電力Ｐｓは、電力Ｐ２と電力Ｐｃとの差に相当する。
【００６７】
以下、余剰電力である電力Ｐｓの推移の予測について詳細に説明する。第１に、予測部８３０は、家屋Ｈにおける翌日の発電電力である電力Ｐ２の推移を予測する。そのために、予測部８３０は、データベース８７０に記憶された気象実績情報８７２と発電電力情報８７３とに基づいて、発電予測モデルを作成する。発電予測モデルは、電力Ｐ２を予測するためのモデルであって、本日以前の過去の予め定めた対象期間（例えば、２週間〜１ヶ月等）分の電力Ｐ２の計測値を時刻（例えば、１分単位で示される時刻）及び天気でグループ化し、各グループにおいて、電力Ｐ２を平均化したモデルである。
【００６８】
詳細には、予測部８３０は、過去の上記対象期間における気象実績を参照して、その対象期間における各時刻の電力Ｐ２の計測値を、晴れ、曇り、雨等のような天気別にグループ化し、各グループにおける電力Ｐ２の計測値の平均値を算出する。そして、予測部８３０は、算出した電力Ｐ２の計測値の平均値を、各時刻及び天気に対応付けることによって、発電予測モデルを作成する。
【００６９】
予測部８３０は、データベース８７０に記憶された気象予報情報８７１から、家屋Ｈを含む地域における翌日の天気情報を取得する。そして、予測部８３０は、発電予測モデルを参照して、翌日の天気に対応する各時刻の電力Ｐ２の計測値の平均値を、翌日の各時刻における電力Ｐ２の予測値とする。このようにして、予測部８３０は、翌日の電力Ｐ２の推移を予測する。
【００７０】
第２に、予測部８３０は、家屋Ｈにおける翌日の消費電力である電力Ｐｃの推移を予測する。電力Ｐｃは、上述したように、総消費電力である電力Ｐｔと給湯機４に供給される電力Ｐ３との差に相当する。電力Ｐｃの推移を予測するために、予測部８３０は、データベース８７０に記憶された消費電力情報８７４に基づいて、消費予測モデルを作成する。消費予測モデルは、家屋Ｈにおける消費電力である電力Ｐｃを予測するためのモデルであって、上記の対象期間分の電力Ｐｃの計測値を時刻（例えば、１分単位で示される時刻）及び曜日でグループ化し、各グループにおいて、電力Ｐｃを平均化したモデルである。
【００７１】
詳細には、予測部８３０は、過去の対象期間における各時刻の電力Ｐｃの計測値を曜日別にグループ化し、各グループにおける電力Ｐｃの計測値の平均値を算出する。そして、予測部８３０は、算出した電力Ｐ２の計測値の平均値を、曜日に対応付けることによって、消費予測モデルを作成する。予測部８３０は、消費予測モデルを参照して、翌日の曜日に対応する各時刻の電力Ｐｃの計測値の平均値を、翌日の各時刻における電力Ｐｃの予測値とする。このようにして、予測部８３０は、翌日の電力Ｐｃの推移を予測する。
【００７２】
第２に、予測部８３０は、それぞれ予測した、翌日の電力Ｐ２の推移と電力Ｐｃの推移から、余剰電力である電力Ｐｓの推移を予測する。詳細には、予測部８３０は、翌日の各時刻（例えば、１分単位で示される時刻）において、電力Ｐ２の予測値から電力Ｐｃの予測値を減算することで、当該時刻における電力Ｐｓの予測値を算出する。このようにして、予測部８３０は、図８に示すように、余剰電力である電力Ｐｓの推移を予測する。
【００７３】
図６に戻って、予測情報送信部８４０は、制御部８０が通信部８２と協働することによって実現され、予測部８３０によって予測された電力Ｐｓの推移を示す予測情報を制御装置６に送信する。具体的に説明すると、予測情報送信部８４０は、図８に示した翌日の各時刻における電力Ｐｓの予測値を示す予測情報を、広域ネットワークＮを介して制御装置６に送信する。予測情報送信部８４０は、定期的に、又は制御装置６からの要求に応答して、予測情報を制御装置６に送信する。
【００７４】
湯量情報生成部８５０は、制御部８０が記憶部８１と協働することによって実現され、データベース８７０に記憶された使用湯量情報８７５と貯湯量情報８７６とに基づいて、予め設定された学習期間における使用湯量の平均値と、この学習期間における貯湯量の最小値である最低貯湯量Ｗｌｏｗと、を表す湯量情報を生成する。本実施形態において、学習期間は２週間であり、湯量情報生成部８５０は、過去２週間における使用湯量の平均値と、過去２週間における貯湯量の最小値である最低貯湯量Ｗｌｏｗと、を表す湯量情報を生成する。
【００７５】
湯量情報送信部８６０は、制御部８０が通信部８２と協働することによって実現され、湯量情報生成部８５０によって生成された湯量情報を制御装置６に送信する。湯量情報送信部８６０は、定期的に、又は制御装置６からの要求に応答して、湯量情報を、広域ネットワークＮを介して制御装置６に送信する。
【００７６】
次に、図９を参照して、制御装置６の機能的な構成について説明する。制御装置６は、機能的に、図９に示すように、計測データ取得部６００と、履歴データ送信部６１０と、情報受信部６２０と、動作設定部６３０と、動作制御部６４０と、情報入出力部６５０と、を備える。これらの各機能は、ソフトウェア、ファームウェア、又は、ソフトウェアとファームウェアとの組み合わせによって実現される。ソフトウェア及びファームウェアは、プログラムとして記述され、制御装置６におけるＲＯＭ又は記憶部６１に格納される。そして、制御部６０において、ＣＰＵが、ＲＯＭ又は記憶部６１に記憶されたプログラムを実行することによって、各部の機能を実現する。また、制御装置６は、計測データ記憶部６６０と、情報記憶部６７０と、を備える。計測データ記憶部６６０及び情報記憶部６７０は、記憶部６１内の記憶領域に構築される。
【００７７】
計測データ取得部６００は、制御部６０が宅内通信部６３及び記憶部６１と協働することによって実現され、商用電力である電力Ｐ１、発電電力である電力Ｐ２及び給湯機４に供給される電力Ｐ３の計測値が格納された電力計測データを、宅内ネットワークを介して電力計測装置３から取得する。詳細には、電力計測装置３は、上述したように、電力Ｐ１〜Ｐ３の計測値と計測時刻を含む電力計測データを定期的（例えば、１分毎に）に制御装置６に送信する。なお、計測データ取得部６００が、定期的に電力計測装置３に電力計測データの要求を送信し、電力計測装置３がこの要求に応答して電力計測データを制御装置６に送信しても良い。計測データ取得部６００は、電力計測装置３からの電力計測データを受信して取得すると、取得した電力計測データを計測データ記憶部６６０に格納する。その際、計測データ取得部６００は、電力Ｐ１と電力Ｐ２を合算して電力Ｐｔを算出し、算出した電力Ｐｔも電力計測データに含めて計測データ記憶部６６０に格納する。
【００７８】
また、計測データ取得部６００は、使用湯量及び貯湯の計測値が格納された湯量計測データを、宅内ネットワークを介して給湯機４から取得する。詳細には、給湯機４は、上述したように、使用湯量及び貯湯量の計測値と計測時刻を含む湯量計測データを定期的（例えば、１分毎に）に制御装置６に送信する。なお、計測データ取得部６００が、定期的に給湯機４に湯量計測データの要求を送信し、給湯機４がこの要求に応答して湯量計測データを制御装置６に送信しても良い。計測データ取得部６００は、給湯機４からの湯量計測データを受信して取得すると、取得した湯量計測データを計測データ記憶部６６０に格納する。
【００７９】
計測データ記憶部６６０には、過去一定期間分の（例えば、２週間分の）電力計測データ及び湯量計測データが記憶される。
【００８０】
履歴データ送信部６１０は、制御部６０が宅外通信部６４と協働することによって実現され、定期的（例えば、１時間毎）に電力履歴データを生成し、広域ネットワークＮを介して管理サーバ８に送信する。電力履歴データには、商用電力である電力Ｐ１、発電電力である電力Ｐ２、給湯機４に供給される電力Ｐ３及び総消費電力である電力Ｐｔの各計測値の履歴が、一定期間分（例えば、１時間分）格納される。なお、履歴データ送信部６１０は、電力Ｐ１〜電力Ｐ３、Ｐｔの計測値の履歴を別々に送信しても良い。また、履歴データ送信部６１０は、管理サーバ８からの要求に応じて、電力履歴データを管理サーバ８に送信しても良い。
【００８１】
また、履歴データ送信部６１０は、定期的（例えば、１時間毎）に湯量履歴データを生成し、広域ネットワークＮを介して管理サーバ８に送信する。湯量履歴データには、使用湯量の計測値と貯湯量の計測値の履歴が、一定期間分（例えば、１時間分）格納される。なお、履歴データ送信部６１０は、使用湯量の計測値と貯湯量の計測値の履歴を別々に送信しても良い。また、履歴データ送信部６１０は、管理サーバ８からの要求に応じて、履歴履歴データを管理サーバ８に送信しても良い。
【００８２】
情報受信部６２０は、制御部６０が宅外通信部６４と協働することによって実現され、広域ネットワークＮを介して管理サーバ８と通信し、管理サーバ８から送信された予測情報及び湯量情報を受信する。管理サーバ８は、予測情報及び湯量情報を例えば定期的に制御装置６に送信する。或いは、情報受信部６２０が、必要に応じて管理サーバ８に予測情報及び湯量情報の要求を送信し、管理サーバ８がこの要求に応答して、予測情報及び湯量情報を制御装置６に送信しても良い。情報受信部６２０は、予測情報及び湯量情報を受信すると、受信した予測情報及び湯量情報を情報記憶部６７０に格納する。
【００８３】
また、情報受信部６２０は、広域ネットワークＮを介して気象サーバ９と通信し、気象サーバ９から送信された気象情報を受信する。気象サーバ９は、気象情報を例えば定期的に制御装置６に送信する。或いは、情報受信部６２０は、必要に応じて気象サーバ９に気象情報の要求を送信し、気象サーバ９がこの要求に応答して、気象情報を制御装置６に送信しても良い。情報受信部６２０は、気象情報を受信すると、受信した気象情報を情報記憶部６７０に格納する。
【００８４】
情報記憶部６７０は、情報受信部６２０によって受信された予測情報、湯量情報及び気象情報を記憶する。また、情報記憶部６７０は、情報入出力部６５０によって操作端末７から受信されたモード情報及びカレンダー情報を記憶する。また、情報記憶部６７０は、情報入出力部６５０によって生成された後述する通知情報を記憶する。情報記憶部６７０に記憶されている予測情報、湯量情報及び気象情報は、情報受信部６２０がこれらの情報を受信する度に更新される。また、情報記憶部６７０に記憶されているモード情報及びカレンダー情報は、情報入出力部６５０がこれらの情報を受信する度に更新される。また、情報記憶部６７０に記憶されている通知情報は、情報入出力部６５０が通知情報を生成する度に更新される。
【００８５】
モード情報は、給湯機４が備える複数の制御モードのうち何れがユーザによって選択されているかを示す情報である。後述するように、操作端末７は、ユーザによる制御モードを選択する操作を受け付けることによってモード情報を生成し、生成したモード情報を通信インタフェースにより制御装置６に送信する。情報入出力部６５０は、操作端末７によって送信されたモード情報を受信し、受信したモード情報を情報記憶部６７０に格納する。
【００８６】
カレンダー情報は、家屋Ｈにおけるイベントの発生予定を示す情報である。後述するように、操作端末７は、ユーザによるイベントの発生予定の入力を受け付けることによってカレンダー情報を生成し、生成したカレンダー情報を通信インタフェースにより制御装置６に送信する。情報入出力部６５０は、操作端末７によって送信されたカレンダー情報を受信し、受信したカレンダー情報を情報記憶部６７０に格納する。
【００８７】
カレンダー情報は、図１０に示すように、家屋Ｈにおいて発生が予定されているイベントに関する情報であるイベント情報を含んでいる。イベント情報には、イベントの内容を表すデータと、イベントが発生する予定の日時を表すデータと、人数マージンを示すデータと、湯量マージンを示すデータと、が互いに対応付けて含まれている。
【００８８】
人数マージンは、イベントの影響による家屋Ｈにおける在宅人数の変化量である。イベントの影響により在宅人数が増加する場合には人数マージンは正の値をとり、イベントの影響により在宅人数が減少する場合には人数マージンは負の値をとる。人数マージンは、イベントの影響による給湯機４によって給湯される湯を使用する人間の数の増減量に相当する。湯量マージンは、イベントの影響による家屋Ｈにおける使用湯量の変化量である。イベントの影響により使用湯量が増加する場合には湯量マージンは正の値をとり、イベントの影響により使用湯量が減少する場合には負の値をとる。湯量マージンは、イベントの内容に応じて予め設定されている。湯量マージンは、イベントの影響による給湯機４の給湯量の増減量に相当する。
【００８９】
動作設定部６３０は、図１１に示すように、一日の沸き上げ湯量決定部６３１と、期間決定部６３２と、昼間沸き上げ湯量設定部６３３と、夜間目標貯湯量算出部６３４と、昼間沸き上げ湯量算出部６３５と、を備えている。動作設定部６３０は、制御部６０が記憶部６１と協働することによって実現される。
【００９０】
一日の沸き上げ湯量決定部６３１は、給湯機４の一日当たりの給湯量の予測値である一日の沸き上げ湯量Ｗｄａｙを決定する。一日の沸き上げ湯量Ｗｄａｙは、家屋Ｈにおける一日当たりの使用湯量の予測値に相当する。
【００９１】
一日の沸き上げ湯量決定部６３１は、情報記憶部６７０が記憶している湯量情報が示す過去２週間の使用湯量の平均値に、カレンダーマージンと、季節マージンと、を加算した値を一日の沸き上げ湯量Ｗｄａｙとして決定する。
【００９２】
カレンダーマージンは、家屋Ｈにおけるイベントの発生予定に応じた給湯量の調整値である。給湯機４による給湯量は、家屋Ｈにおいて発生するイベントの影響によって変化する。一日の沸き上げ湯量決定部６３１は、カレンダーマージンに基づいて一日の沸き上げ湯量Ｗｄａｙを決定することにより、湯切れが発生する可能性を低減すると共に、過剰に湯を沸き上げてしまい電力を浪費する可能性を低減する。一日の沸き上げ湯量決定部６３１は、情報記憶部６７０が記憶するカレンダー情報に基づいて、イベントの影響による家屋Ｈにおける在宅人数の変化量に応じたカレンダーマージンを決定する。具体的に説明すると、一日の沸き上げ湯量決定部６３１は、カレンダー情報が含むイベント情報のうち、翌日に発生が予定されているイベントに関するイベント情報を抽出し、抽出されたイベント情報に含まれている人数マージンを合計することによって、家屋Ｈにおける翌日の在宅人数の変化量を算出する。一日の沸き上げ湯量決定部６３１は、算出した在宅人数の変化量に、予め設定された１人当たりの平均使用湯量を乗算した値をカレンダーマージンとして決定する。本実施形態において、１人当たりの平均使用湯量は、７５Ｌに設定されている。
【００９３】
季節マージンは、季節に応じた給湯量の調整値である。給湯機４による給湯量は、季節によって変化する。例えば、一般に、秋から冬への季節の変わり目である初冬には、給湯量が急激に増加する傾向がある。一日の沸き上げ湯量決定部６３１は、季節マージンに基づいて一日の沸き上げ湯量Ｗｄａｙを決定することにより、湯切れが発生する可能性を低減すると共に、過剰に湯を沸き上げてしまい電力を浪費する可能性を低減する。具体的に説明すると、一日の沸き上げ湯量決定部６３１は、翌日が初冬であるか否かを判定する。そして、一日の沸き上げ湯量決定部６３１は、翌日が初冬であると判定した場合には予め設定された初冬用湯量（例えば、１００L）を季節マージンとして決定する一方、翌日が初冬ではないと判定した場合には当該初冬用湯量よりも少ない予め設定された湯量（例えば、０L）を季節マージンとして決定する。
【００９４】
一日の沸き上げ湯量決定部６３１は、翌日が初冬であるか否かを、当日の日付と、情報記憶部６７０によって記憶された気象情報が示す、家屋Ｈを含む地域における当日の気温の実績値及び家屋Ｈを含む地域における翌日の気温の予測値と、に従って判定する。具体的に説明すると、一日の沸き上げ湯量決定部６３１は、当日の日付が１１月又は１２月であり、かつ、翌日の気温の予測値が当日の気温の実績値に比べて摂氏５度以上低いと予測されている場合、翌日が初冬であると判定する。一方、一日の沸き上げ湯量決定部６３１は、当日の日付が１１月及び１２月の何れでもない場合、又は、翌日の気温の予測値が当日の気温の実績値に比べて摂氏５度以上低くないと予測されている場合、翌日が初冬ではないと判定する。
【００９５】
期間決定部６３２は、昼間沸き上げ期間を決定する。昼間沸き上げ期間は、余剰電力である電力Ｐｓが生じている昼間に、電力Ｐｓのみを利用して給湯機４を動作させ、給湯機４に湯を沸き上げさせる期間である。
【００９６】
図１２に、給湯機４が昼間に湯を沸き上げる場合と昼間に湯を沸き上げない場合とのそれぞれにおける貯湯タンク４１０内の貯湯量の推移を示す。図１２において、実線Ｌ１は、昼間に湯を沸き上げない場合の貯湯量を表しており、破線Ｌ２は、昼間に湯を沸き上げる場合の貯湯量を表している。
【００９７】
例えば雨又は曇りの日のように、余剰電力である電力Ｐｓが少ない又は生じない場合には、給湯機４は、昼間に湯を沸き上げない。この場合、実線Ｌ１に示すように、給湯機４は、電力料金が安い夜間に一日の沸き上げ湯量Ｗｄａｙの湯を沸き上げる。これに対して、晴れの日のように多くの電力Ｐｓが生じる場合には、給湯機４は、破線Ｌ２に示すように、一日の沸き上げ湯量ＷｄａｙのうちのＶ１の量の湯を、電力Ｐｓを利用して昼間に沸き上げる。この場合、夜間に沸き上げる湯量はＶ１だけ減少する。これにより、夜間に湯の沸き上げに使用される商用電力の量が削減される。
【００９８】
期間決定部６３２は、情報記憶部６７０に記憶された予測情報が示す余剰電力である電力Ｐｓの推移の予測に基づいて、昼間沸き上げ期間を決定する。具体的に説明すると、期間決定部６３２は、電力Ｐｓの予測値が、給湯機４の消費電力を示す電力Ｐｗよりも大きい期間を、昼間沸き上げ期間として決定する。期間決定部６３２は、予測情報を参照することによって、電力Ｐｓが生じる期間に含まれる各時刻における電力Ｐｓの予測値と電力Ｐｗとの大小を判定する。期間決定部６３２は、電力Ｐｓの予測値が電力Ｐｗを超える期間が複数ある場合には、この複数の期間のうちの最長の期間を、昼間沸き上げ期間として決定する。このように、なるべく長い時間を昼間沸き上げ期間として決定することによって、給湯機４の発停回数を少なくできるため、給湯機４を効率的に動作させることができる。
【００９９】
ここで、電力Ｐｗは、給湯機４が、沸き上げ動作を行っている、すなわち、沸き上げ運転を行っている際の消費電力の定格を意味する。期間決定部６３２は、電力Ｐｗの情報を、宅内通信部６３を介して給湯機４と通信することによって給湯機４から取得する。或いは、期間決定部６３２は、給湯機４の消費電力の実績、即ち、電力計測装置３により計測された電力Ｐ３の履歴に基づいて、電力Ｐｗを決定しても良いし、ユーザによって入力された又は初期値として設定された固定値を電力Ｐｗとして使用しても良い。
【０１００】
また、期間決定部６３２は、決定した昼間沸き上げ期間の時間長である沸き上げ可能時間Ｔｍａｘを算出する。沸き上げ可能時間Ｔｍａｘは、給湯機４が余剰電力を用いて湯を沸き上げることが可能な時間の最大値に相当する。沸き上げ可能時間Ｔｍａｘは、本発明に係る最長継続時間の一例である。また、期間決定部６３２は、本発明に係る時間取得手段の一例である。
【０１０１】
図１１に戻って、昼間沸き上げ湯量設定部６３３は、一日の沸き上げ湯量決定部６３１が決定した一日の沸き上げ湯量Ｗｄａｙから予め設定された湯切れ防止湯量である起動貯湯量Ｗｏｎを減算した値を昼間沸き上げ湯量Ｗｎｏｏｎの初期値として設定する。起動貯湯量Ｗｏｎは、例えば１００Ｌであって、固定値である。
【０１０２】
夜間目標貯湯量算出部６３４は、給湯機４が夜間に商用電力のみを利用して動作して沸き上げる湯の量の目標値である夜間目標貯湯量Ｗｎｉｇｈｔを算出する。夜間目標貯湯量Ｗｎｉｇｈｔは、本発明に係る第１湯量の一例である。また、夜間目標貯湯量算出部６３４は、本発明に係る第１湯量算出手段の一例である。
【０１０３】
上述したように、給湯機４は、制御モードとして、停止モード、通常モード、少なめモード、多めモード、自動モード及び停止モードを備えており、これらの複数の制御モードのうち、ユーザによって選択された制御モードに従って動作する。夜間目標貯湯量算出部６３４は、情報記憶部６７０に記憶されているモード情報が示すユーザによって選択された制御モードに応じて夜間目標貯湯量Ｗｎｉｇｈｔを算出する。
【０１０４】
具体的に説明すると、停止モードは、給湯機４に余剰電力を用いた湯の沸き上げを行わせない制御モードである。言い換えると、停止モードは、給湯機４に、一日の沸き上げ湯量Ｗｄａｙの全てを、夜間に商用電力を用いて沸き上げさせる制御モードである。給湯機４の制御モードとして停止モードがユーザによって選択されている場合、夜間目標貯湯量算出部６３４は、一日の沸き上げ湯量決定部６３１によって決定された一日の沸き上げ湯量Ｗｄａｙを夜間目標貯湯量Ｗｎｉｇｈｔとして算出する。
【０１０５】
通常モードは、給湯機４に余剰電力を用いた湯の沸き上げを行わせることにより、停止モードに比べて、湯の沸き上げに使用される商用電力の量を削減し、湯の沸き上げに活用される余剰電力の量を増大させる制御モードである。
【０１０６】
給湯機４の制御モードとして通常モードがユーザによって選択されている場合、夜間目標貯湯量算出部６３４は、期間決定部６３２によって算出された沸き上げ可能時間Ｔｍａｘが必要沸き上げ時間Ｔｎｏｏｎより大きいか否かを判定し、判定結果に応じて夜間目標貯湯量Ｗｎｉｇｈｔを算出する。必要沸き上げ時間Ｔｎｏｏｎは、昼間沸き上げ湯量設定部６３３によって設定された昼間沸き上げ湯量Ｗｎｏｏｎを給湯機４が沸き上げるために要する時間である。夜間目標貯湯量算出部６３４は、昼間沸き上げ湯量設定部６３３によって設定された昼間沸き上げ湯量Ｗｎｏｏｎを給湯機４の沸き上げ能力で除算した値を必要沸き上げ時間Ｔｎｏｏｎとして算出する。給湯機４の沸き上げ能力は、給湯機４がいかに高速に湯を沸き上げることができるかを示す指標であって、給湯機４が単位時間当たりに沸き上げ可能な湯量によって表される。夜間目標貯湯量算出部６３４は、給湯機４の沸き上げ能力の情報を、宅内通信部６３を介して給湯機４と通信することによって給湯機４から取得する。或いは、夜間目標貯湯量算出部６３４は、給湯機４の沸き上げ能力として、ユーザによって入力された又は初期値として設定された固定値を用いても良い。
【０１０７】
具体的に説明すると、給湯機４の制御モードとして通常モードがユーザによって選択されている場合、夜間目標貯湯量算出部６３４は、沸き上げ可能時間Ｔｍａｘが必要沸き上げ時間Ｔｎｏｏｎより大きいと判定すると、一日の沸き上げ湯量決定部６３１によって決定された一日の沸き上げ湯量Ｗｄａｙから昼間沸き上げ湯量設定部６３３によって設定された昼間沸き上げ湯量Ｗｎｏｏｎを減算した値を夜間目標貯湯量Ｗｎｉｇｈｔとして算出する。一方、夜間目標貯湯量算出部６３４は、沸き上げ可能時間Ｔｍａｘが必要沸き上げ時間Ｔｎｏｏｎ以下であると判定すると、一日の沸き上げ湯量決定部６３１によって決定された一日の沸き上げ湯量Ｗｄａｙから沸き上げ可能湯量Ｗｍａｘを減算した値を夜間目標貯湯量Ｗｎｉｇｈｔとして算出する。沸き上げ可能湯量Ｗｍａｘは、給湯機４が沸き上げ可能時間Ｔｍａｘにわたって動作することによって沸き上げられる湯の量である。夜間目標貯湯量算出部６３４は、沸き上げ可能時間Ｔｍａｘに給湯機４の沸き上げ能力を乗算した値を沸き上げ可能湯量Ｗｍａｘとして算出する。
【０１０８】
少なめモードは、通常モードに比べて昼間沸き上げ湯量Ｗｎｏｏｎを少なく設定する制御モードである。言い換えると、少なめモードは、給湯機４に比べて夜間目標貯湯量Ｗｎｉｇｈｔを多く設定する制御モードである。夜間目標貯湯量Ｗｎｉｇｈｔが多いほど、当日の夜間から翌日の昼間にかけて発生したイベントによって湯が使用されて湯切れが発生する可能性は低減する。すなわち、少なめモードは、夜間目標貯湯量Ｗｎｉｇｈｔを通常モードに比べて多めに設定することにより、湯切れが発生する可能性を通常モードに比べて低減する制御モードである。
【０１０９】
給湯機４の制御モードとして少なめモードがユーザによって選択されている場合、夜間目標貯湯量算出部６３４は、上述した通常モードにおける処理と同様の処理を実行することによって夜間目標貯湯量Ｗｎｉｇｈｔを算出した後、さらに、予め設定された調整湯量Ｗａｄｊを加算することで夜間目標貯湯量Ｗｎｉｇｈｔを調整する。本実施形態において、調整湯量Ｗａｄｊは、シャワー１回分の平均使用湯量と湯張り１回分の平均使用湯量との和である２３０Ｌに設定されている。
【０１１０】
多めモードは、通常モードに比べて昼間沸き上げ湯量Ｗｎｏｏｎを多く設定する制御モードである。言い換えると、多めモードは、通常モードに比べて夜間目標貯湯量Ｗｎｉｇｈｔを少なく設定する制御モードである。夜間目標貯湯量Ｗｎｉｇｈｔが少ないほど、給湯機４が夜間に湯の沸き上げに使用する商用電力の量は少なくなる。すなわち、多めモードは、夜間目標貯湯量Ｗｎｉｇｈｔを通常モードに比べて少なめに設定することにより、通常モードに比べて、湯の沸き上げに使用される商用電力の量を削減し、湯の沸き上げに活用される余剰電力の量を増大させる制御モードである。
【０１１１】
給湯機４の制御モードとして多めモードがユーザによって選択されている場合、夜間目標貯湯量算出部６３４は、沸き上げ可能時間Ｔｍａｘが必要沸き上げ時間Ｔｎｏｏｎより大きいか否かを判定し、判定結果に応じて夜間目標貯湯量Ｗｎｉｇｈｔを算出する。具体的に説明すると、夜間目標貯湯量算出部６３４は、沸き上げ可能時間Ｔｍａｘが必要沸き上げ時間Ｔｎｏｏｎ以下であると判定すると、一日の沸き上げ湯量決定部６３１によって決定された一日の沸き上げ湯量Ｗｄａｙから沸き上げ可能湯量Ｗｍａｘを減算した値を夜間目標貯湯量Ｗｎｉｇｈｔとして算出する。一方、夜間目標貯湯量算出部６３４は、沸き上げ可能時間Ｔｍａｘが必要沸き上げ時間Ｔｎｏｏｎより大きいと判定すると、一日の沸き上げ湯量決定部６３１によって決定された一日の沸き上げ湯量Ｗｄａｙが、沸き上げ可能湯量Ｗｍａｘと過去２週間における貯湯量の最小値である最低貯湯量Ｗｌｏｗとの和より大きいか否かを判定し、判定結果に応じて夜間目標貯湯量Ｗｎｉｇｈｔを算出する。夜間目標貯湯量算出部６３４は、情報受信部６２０が管理サーバ８から受信した湯量情報を参照することによって、最低貯湯量Ｗｌｏｗを取得する。夜間目標貯湯量算出部６３４は、一日の沸き上げ湯量Ｗｄａｙが沸き上げ可能湯量Ｗｍａｘと最低貯湯量Ｗｌｏｗとの和より大きいと判定すると、一日の沸き上げ湯量Ｗｄａｙから沸き上げ可能湯量Ｗｍａｘを減算した値を夜間目標貯湯量Ｗｎｉｇｈｔとして算出する。一方、夜間目標貯湯量算出部６３４は、一日の沸き上げ湯量Ｗｄａｙが沸き上げ可能湯量Ｗｍａｘと最低貯湯量Ｗｌｏｗとの和以下であると判定すると、最低貯湯量Ｗｌｏｗを夜間目標貯湯量Ｗｎｉｇｈｔとして決定する。
【０１１２】
自動モードは、多めモードと概ね同様の制御モードである。ただし、自動モードは、夜間目標貯湯量Ｗｎｉｇｈｔを家屋Ｈにおけるイベントの発生予定に応じて調整する点において多めモードと相違している。
【０１１３】
具体的に説明すると、給湯機４の制御モードとして自動モードがユーザによって選択されている場合、夜間目標貯湯量算出部６３４は、上述した多めモードにおける処理と同様の処理を実行して夜間目標貯湯量Ｗｎｉｇｈｔを算出した後、算出した夜間目標貯湯量Ｗｎｉｇｈｔを、情報記憶部６７０に記憶されているカレンダー情報に従って調整する。
【０１１４】
より具体的に説明すると、夜間目標貯湯量算出部６３４は、カレンダー情報に含まれているイベント情報のうち、当日の夜間から翌日の昼間にかけて発生が予定されているイベントに関するイベント情報を抽出する。夜間目標貯湯量算出部６３４は、抽出したイベント情報が含む湯量マージンの合計値を加算することによって夜間目標貯湯量Ｗｎｉｇｈｔを調整する。湯量マージンの合計値が正の値であれば、当日の夜間から翌日の昼間にかけて、使用湯量を増加させるイベントの発生が予定されていることを意味する。この場合、夜間目標貯湯量算出部６３４は、正の値をとる湯量マージンの合計値を加算することによって夜間目標貯湯量Ｗｎｉｇｈｔを増加させることにより、当日の夜間から翌日の昼間にかけて湯切れが発生する可能性を低減させる。一方、湯量マージンの合計値が負の値であれば、当日の夜間から翌日の昼間にかけて、使用湯量を減少させるイベントの発生が予定されていることを意味する。この場合、夜間目標貯湯量算出部６３４は、負の値をとる湯量マージンの合計値を加算することによって夜間目標貯湯量Ｗｎｉｇｈｔを減少させる。これにより、不必要に多い湯を夜間に商用電力を用いて沸き上げてしまうことが防止され、商用電力の浪費が抑制されると共に、湯の沸き上げに活用される余剰電力の量が増大する。このように、給湯機４の制御モードとして自動モードがユーザによって選択されている場合、夜間目標貯湯量算出部６３４は、当日の夜間から翌日の昼間にかけて発生が予定されるイベントに応じて夜間目標貯湯量を調整することで、湯切れが発生する可能性を低減すると共に、商用電力の浪費を抑制し、湯の沸き上げに活用される余剰電力の量を増大させる。
【０１１５】
提案モードは、自動モードと概ね同様の制御モードである。ただし、提案モードは、家屋Ｈにおけるイベントの発生予定に応じて夜間目標貯湯量Ｗｎｉｇｈｔを調整することを許可するか否かをユーザに問い合わせ、この問い合せに対するユーザの応答に従って夜間目標貯湯量Ｗｎｉｇｈｔを算出する点において自動モードと相違している。
【０１１６】
具体的に説明すると、給湯機４の制御モードとして提案モードがユーザによって選択されている場合、夜間目標貯湯量算出部６３４は、上述した自動モードにおける処理と同様の処理を実行することにより、上述した多めモードにおける処理と同様の処理を実行して算出された夜間目標貯湯量Ｗｎｉｇｈｔを家屋Ｈにおけるイベント発生予定に応じて調整した場合の夜間目標貯湯量Ｗｎｉｇｈｔを算出する。以下、夜間目標貯湯量Ｗｎｉｇｈｔを家屋Ｈにおけるイベントの発生予定に応じて調整する制御を、調整制御と呼ぶ。
【０１１７】
後述するように、給湯機４の制御モードとして提案モードがユーザによって選択されている場合、調整制御を行った場合の夜間目標貯湯量Ｗｎｉｇｈｔを夜間目標貯湯量算出部６３４が算出したことに応答して、情報入出力部６５０は、操作端末７に、通知情報をユーザへ提示させる。この通知情報には、調整制御を行うことを許可するか否かをユーザに問い合わせる問合せ情報が含まれている。通知情報がユーザへ提示された後、ユーザが、操作端末７を操作することによって、調整制御を行うことを許可する操作、又は、調整制御を行うことを拒否する操作の何れかを行うと、これに応答して、操作端末７が、調整制御を行うことをユーザが許可したか否かを示す応答情報を生成する。操作端末７は、生成した応答情報を、制御装置６へ送信する。情報入出力部６５０は、操作端末７によって送信された応答情報を受信する。
【０１１８】
夜間目標貯湯量算出部６３４は、調整制御を行うことをユーザが許可したか否かを、情報入出力部６５０が受信した応答情報に従って判定する。調整制御を行うことをユーザが許可したと判定すると、夜間目標貯湯量算出部６３４は、上述した自動モードにおける処理と同様の処理を実行して算出した夜間目標貯湯量Ｗｎｉｇｈｔを夜間目標貯湯量Ｗｎｉｇｈｔとして決定する。一方、調整制御を行うことをユーザが拒否したと判定すると、夜間目標貯湯量算出部６３４は、上述した多めモードにおける処理と同様の処理を実行して算出した夜間目標貯湯量Ｗｎｉｇｈｔを夜間目標貯湯量Ｗｎｉｇｈｔとして決定する。
【０１１９】
図１１に戻って、昼間沸き上げ湯量算出部６３５は、一日の沸き上げ湯量決定部６３１によって決定された一日の沸き上げ湯量Ｗｄａｙから夜間目標貯湯量算出部６３４によって算出された夜間目標貯湯量Ｗｎｉｇｈｔを減算した値を昼間沸き上げ湯量Ｗｎｏｏｎとして算出する。これにより、昼間沸き上げ湯量算出部６３５は、給湯機４が備える複数の制御モードのうちユーザが選択した制御モードに応じた昼間沸き上げ湯量Ｗｎｏｏｎを算出する。昼間沸き上げ湯量算出部６３５は、算出した昼間沸き上げ湯量Ｗｎｏｏｎによって、昼間沸き上げ湯量算出部６３５が設定した昼間沸き上げ湯量Ｗｎｏｏｎを更新する。更新された昼間沸き上げ湯量Ｗｎｏｏｎは、本発明に係る第２湯量の一例である。また、昼間沸き上げ湯量算出部６３５は、本発明に係る第２湯量算出手段の一例である。
【０１２０】
図９に戻って、動作制御部６４０は、期間決定部６３２によって決定された昼間沸き上げ期間の開始時刻及び終了時刻と、夜間目標貯湯量算出部６３４によって算出された夜間目標貯湯量Ｗｎｉｇｈｔと、昼間沸き上げ湯量算出部６３５によって算出された昼間沸き上げ湯量Ｗｎｏｏｎと、を表す沸き上げスケジュールを生成する。動作制御部６４０は、生成した沸き上げスケジュールを宅内通信部６３を介して給湯機４に送信することにより、給湯機４にこの沸き上げスケジュールに従った湯を沸き運転を実行させる。動作制御部６４０は、制御部６０が宅内通信部６３と協働することによって実現される。
【０１２１】
動作制御部６４０は、給湯機４に、夜間において、沸き上げスケジュールが表す夜間目標貯湯量Ｗｎｉｇｈｔの湯を、商用電力のみを用いて沸き上げさせる。また、動作制御部６４０は、給湯機４に、沸き上げスケジュールが表す昼間沸き上げ期間において、沸き上げスケジュールが表す昼間沸き上げ湯量Ｗｎｏｏｎの湯を、余剰電力のみを用いて沸き上げさせる。
【０１２２】
給湯機４は、動作制御部６４０から沸き上げスケジュールを受信すると、現在時刻が当該沸き上げスケジュールで示される夜間の開始時刻になったことに応答して、商用電力のみを用いた湯の沸き上げ運転を開始する。給湯機４は、沸き上げ運転を開始した後、定期的に（例えば、３０秒毎に）貯湯量センサから貯湯量を取得することによって、貯湯タンク４１０内の貯湯量を監視する。給湯機４は、貯湯量を監視した結果、夜間の開始時刻における貯湯量からの増分量が、沸き上げスケジュールが表す夜間目標貯湯量Ｗｎｉｇｈｔに達すると、商用電力のみを用いた湯の沸き上げ運転を停止する。給湯機４は、商用電力のみを用いた湯の沸き上げ運転を停止した後、沸き上げスケジュールが表す昼間沸き上げ期間の到来を待機する。給湯機４は、現在時刻が沸き上げスケジュールが表す昼間沸き上げ期間の開始時刻になったことに応答して、余剰電力である電力Ｐｓのみを用いた湯の沸き上げ運転を開始する。給湯機４は、電力Ｐｓのみを用いた湯の沸き上げ運転を開始した後、定期的に貯湯量センサから貯湯量を取得することによって、貯湯タンク４１０内の貯湯量を監視する。給湯機４は、貯湯量を監視した結果、昼間沸き上げ期間の開始時刻における貯湯量からの増分量が、沸き上げスケジュールが表す昼間沸き上げ湯量Ｗｎｏｏｎに達すると、電力Ｐｓのみを用いた湯の沸き上げ運転を停止する。なお、給湯機４は、現在時刻が沸き上げスケジュールが表す昼間沸き上げ期間の終了時刻になると、沸き上げスケジュールが表す昼間沸き上げ湯量Ｗｎｏｏｎがその時点において沸き上げられているか否かに関わらず、電力Ｐｓのみを用いた湯の沸き上げ運転を停止する。
【０１２３】
情報入出力部６５０は、操作端末７がユーザによる操作を入力デバイスで受け付けることによって生成した各種情報を、宅内ネットワークを介して操作端末７から受信する。操作端末７は、情報を生成したことに応答して、生成された情報を、通信インタフェースを用いて情報入出力部６５０に送信する。或いは、情報入出力部６５０は、必要に応じて操作端末７に情報の要求を送信し、操作端末７が、この要求に応答して情報入出力部６５０に情報を送信してもよい。また、情報入出力部６５０は、操作端末７に、各種情報をユーザへ提示させる。具体的に説明すると、情報入出力部６５０は、各種情報を操作端末７に宅内ネットワークを介して送信し、操作端末７は、受信した情報を表す画像を表示デバイスに表示することによって、この情報をユーザへ提示する。情報入出力部６５０は、制御部６０が宅内通信部６３と協働することによって実現される。
【０１２４】
例えば、情報入出力部６５０は、操作端末７から上述したモード情報を受信する。情報入出力部６５０は、受信したモード情報を、情報記憶部６７０に格納する。操作端末７は、図１３に示す設定画面ＷＷ１を表示デバイスに表示した状態において、ユーザによる制御モードを選択する操作を受け付けることによってモード情報を生成する。具体的に説明すると、設定画面ＷＷ１において、ユーザは、「昼間沸き上げ制御」の項目をＯＦＦに設定すると、給湯機４の制御モードとして停止モードを選択することができる。また、ユーザは、「昼間沸き上げ制御」の項目をＯＮに設定し、かつ、「昼間沸き上げ制御モード」の項目で「自動」を選択した状態において、「調整制御許可」の項目で「常に許可」を選択すると、自動モードを選択することができる。また、ユーザは、「昼間沸き上げ制御」の項目をＯＮに設定し、かつ、「昼間沸き上げ制御モード」の項目で「自動」を選択した状態において、「調整制御許可」の項目で「制御前に確認」を選択すると、提案モードを選択することができる。また、ユーザは、「昼間沸き上げ制御」の項目をＯＮに設定し、かつ、「昼間沸き上げ制御モード」の項目で「通常」を選択すると、通常モードを選択することができる。また、ユーザは、「昼間沸き上げ制御」の項目をＯＮに設定し、かつ、「昼間沸き上げ制御モード」の項目で「多め」を選択すると、多めモードを選択することができる。また、ユーザは、「昼間沸き上げ制御」の項目をＯＮに設定し、かつ、「昼間沸き上げ制御モード」の項目で「少なめ」を選択すると、少なめモードを選択することができる。
【０１２５】
また、情報入出力部６５０は、操作端末７から、上述したカレンダー情報を受信する。情報入出力部６５０は、受信したカレンダー情報を情報記憶部６７０に格納する。操作端末７は、ユーザによるイベントの発生予定の入力を受け付けることによってカレンダー情報を生成する。
【０１２６】
また、情報入出力部６５０は、給湯機４の制御モードとして提案モードが選択されている場合、上述した問合せ情報を含む通知情報を生成する。情報入出力部６５０は、生成した通知情報を、情報記憶部６７０に格納する。また、情報入出力部６５０は、操作端末７に、生成した通知情報をユーザへ提示させる。具体的に説明すると、情報入出力部６５０は、生成した通知情報を操作端末７へ送信し、この通知情報を表す許可画面を操作端末７の表示デバイスに表示させる。図１４は、許可画面ＷＷ２の一例を示している。情報入出力部６５０は、調整制御を行った場合の夜間目標貯湯量Ｗｎｉｇｈｔを夜間目標貯湯量算出部６３４が算出したことに応答して、操作端末７に通知情報の提示を行わせる。
【０１２７】
通知情報は、調整制御を行った場合の夜間目標貯湯量Ｗｎｉｇｈｔ、昼間沸き上げ湯量Ｗｎｏｏｎ及び余剰活用電力量を表す情報を含んでいる。すなわち、通知情報は、自動モードに対応する夜間目標貯湯量Ｗｎｉｇｈｔ、昼間沸き上げ湯量Ｗｎｏｏｎ及び余剰活用電力量を表す情報を含んでいる。余剰活用電力量は、給湯機４によって湯の沸き上げに利用された余剰電力である電力Ｐｓの量である。さらに、通知情報は、給湯機４の制御モードとして通常モードが選択された場合の夜間目標貯湯量Ｗｎｉｇｈｔ及び昼間沸き上げ湯量Ｗｎｏｏｎを表す情報を含んでいる。さらに、通知情報は、給湯機４の制御モードとして停止モードが選択された場合の夜間目標貯湯量Ｗｎｉｇｈｔ及び昼間沸き上げ湯量Ｗｎｏｏｎを表す情報を含んでいる。情報入出力部６５０は、これらの情報を、問合せ情報と共に格納することによって、通知情報を生成する。
【０１２８】
具体的に説明すると、情報入出力部６５０は、夜間目標貯湯量算出部６３４から、イベントの発生予定に応じて調整を行った場合の夜間目標貯湯量Ｗｎｉｇｈｔを取得する。情報入出力部６５０は、一日の沸き上げ湯量決定部６３１によって決定された一日の沸き上げ湯量Ｗｄａｙから、調整制御を行った場合の夜間目標貯湯量Ｗｎｉｇｈｔを減算した値を、調整制御を行った場合の昼間沸き上げ湯量Ｗｎｏｏｎとして算出する。また、情報入出力部６５０は、調整制御を行った場合の昼間沸き上げ湯量Ｗｎｏｏｎを給湯機４の沸き上げ能力で除算した値を、調整制御を行った場合の余剰活用電力量として算出する。
【０１２９】
また、情報入出力部６５０は、上述した通常モード時に夜間目標貯湯量算出部６３４が実行する処理と同様の処理を実行することによって、給湯機４の制御モードとして通常モードが選択された場合の夜間目標貯湯量Ｗｎｉｇｈｔ及び昼間沸き上げ湯量Ｗｎｏｏｎを取得する。すなわち、情報入出力部６５０は、期間決定部６３２によって算出された沸き上げ可能時間Ｔｍａｘが必要沸き上げ時間Ｔｎｏｏｎより大きいか否かを判定し、沸き上げ可能時間Ｔｍａｘが必要沸き上げ時間Ｔｎｏｏｎより大きいと判定すると、一日の沸き上げ湯量決定部６３１によって決定された一日の沸き上げ湯量Ｗｄａｙから昼間沸き上げ湯量設定部６３３によって設定された昼間沸き上げ湯量Ｗｎｏｏｎを減算した値を夜間目標貯湯量Ｗｎｉｇｈｔとして算出する。一方、情報入出力部６５０は、沸き上げ可能時間Ｔｍａｘが必要沸き上げ時間Ｔｎｏｏｎ以下であると判定すると、一日の沸き上げ湯量決定部６３１によって決定された一日の沸き上げ湯量Ｗｄａｙから沸き上げ可能湯量Ｗｍａｘを減算した値を夜間目標貯湯量Ｗｎｉｇｈｔとして算出する。
【０１３０】
また、情報入出力部６５０は、一日の沸き上げ湯量決定部６３１によって決定された一日の沸き上げ湯量Ｗｄａｙを、停止モードの場合の夜間目標貯湯量Ｗｎｉｇｈｔとして取得する。また、情報入出力部６５０は、０Ｌを停止モードの場合の昼間沸き上げ湯量Ｗｎｏｏｎとして取得する。また、情報入出力部６５０は、０ｋＷｈを停止モードの場合の余剰活用電力量として取得する。
【０１３１】
操作端末７は、表示デバイスに許可画面ＷＷ２が表示された状態において、ユーザによる、家屋Ｈにおけるイベントの発生予定に応じて夜間目標貯湯量Ｗｎｉｇｈｔを調整することを許可する操作、又は、家屋Ｈにおけるイベントの発生予定に応じて夜間目標貯湯量Ｗｎｉｇｈｔを調整することを拒否する操作の何れかを受け付ける。操作端末７は、ユーザによる操作に従って、夜間目標貯湯量Ｗｎｉｇｈｔを調整することをユーザが許可したか否かを示す応答情報を生成する。具体的に説明すると、許可画面ＷＷ２において、「許可」の項目を選択することによって、夜間目標貯湯量Ｗｎｉｇｈｔの調整を許可することができる。また、許可画面ＷＷ２において、「許可しない」の項目を選択することによって、夜間目標貯湯量Ｗｎｉｇｈｔの調整を拒否することができる。
【０１３２】
また、情報入出力部６５０は、給湯機４の制御モードとして停止モード以外の制御モードが選択されている場合、給湯機４が余剰電力である電力Ｐｓのみを用いた湯の沸き上げ運転を行う旨をユーザに報知する運転報知情報を生成する。情報入出力部６５０は、操作端末７に、運転報知情報をユーザへ提示させる。具体的に説明すると、情報入出力部６５０は、生成した運転報知情報を操作端末７に送信し、この運転報知情報を表す運転報知画面を操作端末７に表示させる。図１５は、運転報知画面ＷＷ３の一例を示している。情報入出力部６５０は、動作制御部６４０が沸き上げスケジュールを給湯機４に送信したことに応答して、操作端末７に運転報知情報の提示を行わせる。
【０１３３】
また、情報入出力部６５０は、給湯機４の制御モードとして提案モードが選択されている場合、給湯機４が余剰電力である電力Ｐｓのみを用いて沸き上げた湯の量の実測値である実測湯量に関する情報である効果報知情報を生成する。情報入出力部６５０は、操作端末７に、効果報知情報をユーザへ提示させる。具体的に説明すると、情報入出力部６５０は、生成した効果報知情報を操作端末７に送信し、この効果報知情報を表す効果報知画面を操作端末７に表示させる。図１６は、効果報知画面ＷＷ４の一例を示している。情報入出力部６５０は、現在時刻が期間決定部６３２によって決定された昼間沸き上げ期間の開始時刻となったことに応答して、操作端末７に効果報知情報の提示を行わせる。
【０１３４】
効果報知情報は、余剰活用電力量の実測値と、昼間沸き上げ時間の実測値と、電気料金削減額の実績と、を表す情報を含んでいる。余剰活用電力量の実測値は、実測湯量の湯を沸き上げるために給湯機４が用いた余剰電力である電力Ｐｓの量に相当する。実測湯量は、給湯機４が沸き上げ運転を余剰電力のみで行った際の湯量に相当する。余剰活用電力量は、給湯機４が沸き上げ運転を余剰電力のみで行った際に給湯機４が消費した余剰電力の量に相当する。昼間沸き上げ時間は、給湯機４が余剰電力である電力Ｐｓのみを用いて湯の沸き上げを行った時間の長さである。昼間沸き上げ時間は、実測湯量の湯を沸き上げるために給湯機４が要した時間の長さに相当する。電気料金削減額は、実測湯量の湯を商用電力の代わりに余剰電力である電力Ｐｓを用いて沸き上げることによって削減できた電気料金である。すなわち、電気料金削減額は、余剰活用電力量と同じ量の商用電力の消費量に相当する買電価格である。言い換えると、電気料金削減額は、給湯機４が余剰電力である電力Ｐｓを用いて湯の沸き上げを行った際に消費した電力Ｐｓの量の実測値と同じ量の商用電力の価格に相当する。また、効果報知情報は、給湯機４の制御モードとして通常モードが選択されていた場合の昼間沸き上げ時間の予測値と、余剰活用電力量の予測値と、を表す情報を含んでいる。言い換えると、効果報知情報は、給湯機４の制御モードとして通常モードが選択されていた場合の昼間沸き上げ湯量Ｗｎｏｏｎの予測値に関する情報を含んでいる。さらに、効果報知情報は、給湯機４の制御モードとして停止モードが選択されていた場合の昼間沸き上げ時間の予測値と、余剰活用電力量の予測値と、を表す情報を含んでいる。言い換えると、効果報知情報は、給湯機４の制御モードとして停止モードが選択されていた場合の昼間沸き上げ湯量Ｗｎｏｏｎの予測値に関する情報を含んでいる。情報入出力部６５０は、これらの情報を格納することによって、効果報知情報を生成する。
【０１３５】
具体的に説明すると、情報入出力部６５０は、計測データ記憶部６６０に記憶されている給湯機４に供給された電力Ｐ３の計測値を参照し、期間決定部６３２によって決定された昼間沸き上げ期間における電力Ｐ３の量を余剰活用電力量の実測値として取得する。情報入出力部６５０は、取得した余剰活用電力量の実測値を、給湯機４の消費電力を示す電力Ｐｗで除算した値を昼間沸き上げ時間の実測値として取得する。また、情報入出力部６５０は、取得した余剰活用電力量の実測値に、夜間における商用電力の買電単価を乗算した値を電気料金削減額の実績として取得する。夜間における商用電力の買電単価は、電気料金データから得られる。電気料金データは、電気料金単価（電気料金の時間帯別単価）を示すデータであり、ユーザにより操作端末７を介して制御装置６に設定され、記憶部６１に保存されているものとする。或いは、制御装置６は、管理サーバ８又は他の図示しないサーバから通信により電気料金データを取得してもよい。
【０１３６】
また、情報入出力部６５０は、情報記憶部６７０に格納された通知情報が示す通常モードの場合の昼間沸き上げ湯量Ｗｎｏｏｎを給湯機４の沸き上げ能力で除算した値を、通常モードの場合の昼間沸き上げ時間の予測値として算出する。情報入出力部６５０は、算出した通常モードの場合の昼間沸き上げ時間の予測値に電力Ｐｗを乗算した値を、通常モードの場合の余剰活用電力量の予測値として算出する。
【０１３７】
また、情報入出力部６５０は、０時間を停止モードの場合の昼間沸き上げ時間の予測値として決定する。また、情報入出力部６５０は、０ｋＷｈを停止モードの場合の余剰活用電力量の予測値として決定する。
【０１３８】
以上のように構成された電力管理システム１において実行される処理の流れについて、図１７から図２８を参照して説明する。
【０１３９】
現在時刻が予め設定された処理開始時刻になると、制御装置６は、図１７に示す制御処理を開始する。本実施形態において、制御装置６は、現在時刻が午後６時になったことに応答して、制御処理を開始する。なお、制御処理の開始時点において、制御装置６の情報記憶部６７０には、それぞれ最新の、予測情報、湯量情報、気象情報、カレンダー情報及びモード情報が記憶されているものとする。
【０１４０】
制御処理を開始すると、まず、制御部６０は、一日の沸き上げ湯量決定処理を実行する（ステップＳ１０１）。以下、ステップＳ１０１の一日の沸き上げ湯量決定処理の詳細について、図１８のフローチャートを参照して説明する。
【０１４１】
一日の沸き上げ湯量決定処理を開始すると、まず、一日の沸き上げ湯量決定部６３１が、情報記憶部６７０に記憶された湯量情報が表す過去２週間の平均使用湯量を取得する（ステップＳ２０１）。次に、一日の沸き上げ湯量決定部６３１は、カレンダーマージン決定処理を実行する（ステップＳ２０２）。以下、ステップＳ２０２のカレンダーマージン決定処理の詳細について、図１９のフローチャートを参照して説明する。
【０１４２】
カレンダーマージン決定処理を開始すると、まず、一日の沸き上げ湯量決定部６３１は、情報記憶部６７０に記憶されたカレンダー情報に含まれるイベント情報のうち、翌日に発生が予定されているイベントに関するイベント情報を全て抽出する（ステップＳ３０１）。一日の沸き上げ湯量決定部６３１は、ステップＳ３０１で抽出したイベント情報が含む人数マージンを合計することによって、翌日の家屋Ｈにおける在宅人数の変化量を算出する（ステップＳ３０２）。一日の沸き上げ湯量決定部６３１は、ステップＳ３０３で算出した在宅人数の変化量に、予め設定された１人当たりの使用湯量である７５Ｌを乗算した値をカレンダーマージンとして決定し（ステップＳ３０３）、カレンダーマージン決定処理を終了する。
【０１４３】
図１８に戻って、ステップＳ２０２でカレンダーマージンを決定した後、一日の沸き上げ湯量決定部６３１は、季節マージン決定処理を実行する（ステップＳ２０３）。以下、ステップＳ２０３の季節マージン決定処理の詳細について、図２０のフローチャートを参照して説明する。
【０１４４】
季節マージン決定処理を開始すると、まず、一日の沸き上げ湯量決定部６３１は、当日の日付が１１月と１２月との何れかであるか否かを判定する（ステップＳ４０１）。当日の日付が１１月でも１２月でもないと判定すると（ステップＳ４０１；Ｎｏ）、一日の沸き上げ湯量決定部６３１は、０Ｌを季節マージンとして決定し（ステップＳ４０５）、季節マージン決定処理を終了する。
【０１４５】
当日の日付が１１月と１２月との何れかであると判定すると（ステップＳ４０１；Ｙｅｓ）、一日の沸き上げ湯量決定部６３１は、情報記憶部６７０に記憶されている気象情報を取得し（ステップＳ４０２）、ステップＳ４０２で取得した気象情報が示す、家屋Ｈを含む地域における翌日の気温の予測値が、この気象情報が示す、家屋Ｈを含む地域における当日の気温の実績値より摂氏５度以上低いか否かを判定する（ステップＳ４０３）。翌日の気温の予測値が当日の気温の実績値より摂氏５度以上低くないと判定すると（ステップＳ４０３；Ｎｏ）、一日の沸き上げ湯量決定部６３１は、０Ｌを季節マージンとして決定し（ステップＳ４０５）、季節マージン決定処理を終了する。一方、翌日の気温の予測値が当日の気温の実績値より摂氏５度以上低いと判定すると（ステップＳ４０３；Ｙｅｓ）、一日の沸き上げ湯量決定部６３１は、１００Ｌを季節マージンとして決定し（ステップＳ４０４）、季節マージン決定処理を終了する。
【０１４６】
図１８に戻って、一日の沸き上げ湯量決定部６３１は、ステップＳ２０１で取得した過去２週間の平均使用湯量に、ステップＳ２０２で決定したカレンダーマージンと、ステップＳ２０３で決定した季節マージンと、を加算した値を一日の沸き上げ湯量として決定し（ステップＳ２０４）、一日の沸き上げ湯量決定処理を終了する。
【０１４７】
図１７に戻って、ステップＳ１０１の一日の沸き上げ湯量決定処理が終了した後、制御部６０は、夜間目標貯湯量算出処理を実行する（ステップＳ１０２）。以下、ステップＳ１０２の夜間目標貯湯量算出処理の詳細について、図２１のフローチャートを参照して説明する。
【０１４８】
夜間目標貯湯量算出処理を開始すると、まず、制御部６０は、共通処理を実行する（ステップＳ５０１）。以下、ステップＳ５０１の共通処理の詳細について、図２２のフローチャートを参照して説明する。
【０１４９】
共通処理を開始すると、まず、期間決定部６３２が、情報記憶部６７０によって記憶された予測情報に基づいて、昼間沸き上げ期間を決定する（ステップＳ６０１）。具体的に説明すると、期間決定部６３２は、予測情報が示す余剰電力である電力Ｐｓの予測値が給湯機４の消費電力である電力Ｐｗよりも大きい期間を、昼間沸き上げ期間として決定する。電力Ｐｓの予測値が電力Ｐｗを超える期間が複数ある場合には、期間決定部６３２は、この複数の期間のうちの最長の期間を、昼間沸き上げ期間として決定する。また、期間決定部６３２は、ステップＳ６０１で決定した昼間沸き上げ期間の時間長である沸き上げ可能時間Ｔｍａｘを算出する（ステップＳ６０２）。夜間目標貯湯量算出部６３４は、ステップＳ６０２で算出された沸き上げ可能時間Ｔｍａｘに給湯機４の沸き上げ能力を乗算した値を沸き上げ可能湯量Ｗｍａｘとして算出する（ステップＳ６０３）。
【０１５０】
次に、昼間沸き上げ湯量設定部６３３が、ステップＳ１０１で決定された一日の沸き上げ湯量Ｗｄａｙに基づいて、昼間沸き上げ湯量Ｗｎｏｏｎの初期値を設定する（ステップＳ６０４）。具体的に説明すると、昼間沸き上げ湯量設定部６３３は、ステップＳ１０１で決定された一日の沸き上げ湯量Ｗｄａｙから起動貯湯量Ｗｏｎを減算した値を、昼間沸き上げ湯量Ｗｎｏｏｎの初期値として設定する。
【０１５１】
夜間目標貯湯量算出部６３４は、ステップＳ６０４で設定された昼間沸き上げ湯量Ｗｎｏｏｎを、給湯機４の沸き上げ能力で除算した値を必要沸き上げ時間Ｔｎｏｏｎとして算出し（ステップＳ６０５）、共通処理を終了する。
【０１５２】
図２１に戻って、ステップＳ５０１の共通処理が終了した後、夜間目標貯湯量算出部６３４は、情報記憶部６７０に記憶されたモード情報に基づいて、給湯機４の制御モードとして停止モードがユーザによって選択されているか否かを判定する（ステップＳ５０２）。停止モードが選択されていると判定すると（ステップＳ５０２；Ｙｅｓ）、夜間目標貯湯量算出部６３４は、ステップＳ１０１で決定された一日の沸き上げ湯量Ｗｄａｙを夜間目標貯湯量Ｗｎｉｇｈｔとして算出し（ステップＳ５０６）、夜間目標貯湯量算出処理を終了する。
【０１５３】
一方、停止モードが選択されていないと判定すると（ステップＳ５０２；Ｎｏ）、夜間目標貯湯量算出部６３４は、情報記憶部６７０に記憶されたモード情報に基づいて、通常モードと少なめモードとの何れかがユーザによって給湯機４の制御モードとして選択されているか否かを判定する（ステップＳ５０３）。通常モードと少なめモードとの何れかが制御モードとして選択されていると判定すると（ステップＳ５０３；Ｙｅｓ）、夜間目標貯湯量算出部６３４は、第１処理を実行し（ステップＳ５０５）、夜間目標貯湯量算出処理を終了する。以下、ステップＳ５０５の第１処理の詳細について、図２３のフローチャートを参照して説明する。
【０１５４】
第１処理を開始すると、夜間目標貯湯量算出部６３４は、ステップＳ６０２で算出された沸き上げ可能時間ＴｍａｘがステップＳ６０５で算出された必要沸き上げ時間Ｔｎｏｏｎより大きいか否かを判定する（ステップＳ７０１）。沸き上げ可能時間Ｔｍａｘが必要沸き上げ時間Ｔｎｏｏｎより大きいと判定すると（ステップＳ７０１；Ｙｅｓ）、夜間目標貯湯量算出部６３４は、ステップＳ１０１で決定された一日の沸き上げ湯量ＷｄａｙからステップＳ６０４で設定された昼間沸き上げ湯量Ｗｎｏｏｎを減算した値を夜間目標貯湯量Ｗｎｉｇｈｔとして算出し（ステップＳ７０２）、処理はステップＳ７０３へ移る。一方、沸き上げ可能時間Ｔｍａｘが必要沸き上げ時間Ｔｎｏｏｎ以下であると判定すると（ステップＳ７０１；Ｎｏ）、夜間目標貯湯量算出部６３４は、ステップＳ１０１で決定された一日の沸き上げ湯量ＷｄａｙからステップＳ６０３で算出された沸き上げ可能湯量Ｗｍａｘを減算した値を、夜間目標貯湯量Ｗｎｉｇｈｔとして算出し（ステップＳ７０５）、処理はステップＳ７０３へ移る。
【０１５５】
次に、夜間目標貯湯量算出部６３４は、情報記憶部６７０に記憶されたモード情報に基づいて、給湯機４の制御モードとして少なめモードがユーザによって選択されているか否かを判定する（ステップＳ７０３）。制御モードとして少なめモードが選択されていないと判定すると（ステップＳ７０３；Ｎｏ）、夜間目標貯湯量算出部６３４は、第１処理を終了する。一方、制御モードとして少なめモードが選択されていると判定すると（ステップＳ７０３；Ｙｅｓ）、夜間目標貯湯量算出部６３４は、ステップＳ７０２又はＳ７０５で算出された夜間目標貯湯量Ｗｎｉｇｈｔを、予め設定された調整湯量Ｗａｄｊを加算することによって調整し（ステップＳ７０４）、第１処理を終了する。
【０１５６】
図２１に戻って、通常モードと少なめモードとの何れも給湯機４の制御モードとしてユーザによって選択されていないと判定すると（ステップＳ５０３；Ｎｏ）、夜間目標貯湯量算出部６３４は、第２処理を実行し（ステップＳ５０４）、夜間目標貯湯量算出処理を終了する。以下、ステップＳ５０４の第２処理の詳細について、図２４のフローチャートを参照して説明する。
【０１５７】
第２処理を開始すると、夜間目標貯湯量算出部６３４は、ステップＳ６０２で算出された沸き上げ可能時間ＴｍａｘがステップＳ６０５で算出された必要沸き上げ時間Ｔｎｏｏｎより大きいか否かを判定する（ステップＳ８０１）。沸き上げ可能時間Ｔｍａｘが必要沸き上げ時間Ｔｎｏｏｎ以下であると判定すると（ステップＳ８０１；Ｎｏ）、夜間目標貯湯量算出部６３４は、ステップＳ１０１で決定された一日の沸き上げ湯量ＷｄａｙからステップＳ６０３で算出された沸き上げ可能湯量Ｗｍａｘを減算した値を夜間目標貯湯量Ｗｎｉｇｈｔとして算出し（ステップＳ８１３）、処理はステップＳ８０４へ移る。
【０１５８】
沸き上げ可能時間Ｔｍａｘが必要沸き上げ時間Ｔｎｏｏｎより大きいと判定すると（ステップＳ８０１；Ｙｅｓ）、夜間目標貯湯量算出部６３４は、ステップＳ１０１で決定された一日の沸き上げ湯量Ｗｄａｙが、ステップＳ６０３で算出された沸き上げ可能湯量Ｗｍａｘと情報記憶部６７０に記憶されている湯量情報が示す最低貯湯量Ｗｌｏｗとの和より大きいか否かを判定する（ステップＳ８０２）。一日の沸き上げ湯量Ｗｄａｙが沸き上げ可能湯量Ｗｍａｘと最低貯湯量Ｗｌｏｗとの和より大きいと判定すると（ステップＳ８０２；Ｙｅｓ）、夜間目標貯湯量算出部６３４は、ステップＳ１０１で決定された一日の沸き上げ湯量ＷｄａｙからステップＳ６０３で算出された沸き上げ可能湯量Ｗｍａｘを減算した値を夜間目標貯湯量Ｗｎｉｇｈｔとして算出し（ステップＳ８０３）、処理はステップＳ８０４へ移る。一方、一日の沸き上げ湯量Ｗｄａｙが沸き上げ可能湯量Ｗｍａｘと最低貯湯量Ｗｌｏｗとの和以下であると判定すると（ステップＳ８０２；Ｎｏ）、夜間目標貯湯量算出部６３４は、情報記憶部６７０によって記憶された湯量情報が示す最低貯湯量Ｗｌｏｗを夜間目標貯湯量Ｗｎｉｇｈｔとして算出し（ステップＳ８１２）、処理はステップＳ８０４へ移る。
【０１５９】
次に、夜間目標貯湯量算出部６３４は、情報記憶部６７０に記憶されているモード情報に基づいて、給湯機４の制御モードとして多めモードが選択されているか否かを判定する（ステップＳ８０４）。制御モードとして多めモードが選択されていると判定すると（ステップＳ８０４；Ｙｅｓ）、夜間目標貯湯量算出部６３４は、第２処理を終了する。
【０１６０】
制御モードとして多めモードが選択されていないと判定すると（ステップＳ８０４；Ｎｏ）、夜間目標貯湯量算出部６３４は、ステップＳ８０３，Ｓ８１２又はＳ８１３で算出された夜間目標貯湯量Ｗｎｉｇｈｔを、調整制御を行うことによって調整した場合の夜間目標貯湯量Ｗｎｉｇｈｔを算出する（ステップＳ８０５）。具体的に説明すると、夜間目標貯湯量算出部６３４は、情報記憶部６７０が記憶するカレンダー情報に含まれているイベント情報のうち、当日の夜間と翌日の昼間との間に発生が予定されているイベントに関するイベント情報を抽出し、抽出されたイベント情報が含む湯量マージンの合計値を加算することによって、調整制御を行った場合の夜間目標貯湯量Ｗｎｉｇｈｔを算出する。
【０１６１】
夜間目標貯湯量算出部６３４は、情報記憶部６７０に記憶されているモード情報に基づいて、給湯機４の制御モードとして自動モードが選択されているか否かを判定する（ステップＳ８０６）。制御モードとして自動モードが選択されていると判定すると（ステップＳ８０６；Ｙｅｓ）、処理はステップＳ８１１へ移る。
【０１６２】
制御モードとして自動モードが選択されていないと夜間目標貯湯量算出部６３４が判定すると（ステップＳ８０６；Ｎｏ）、情報入出力部６５０が、情報生成処理を実行する（ステップＳ８０７）。以下、ステップＳ８０７の情報生成処理の詳細について、図２５に示すフローチャートを参照して説明する。
【０１６３】
情報生成処理を開始すると、まず、情報入出力部６５０は、調整制御を行った場合における昼間沸き上げ湯量Ｗｎｏｏｎ及び余剰活用電力量を取得する（ステップＳ９０１）。具体的に説明すると、情報入出力部６５０は、ステップＳ１０１で決定された一日の沸き上げ湯量ＷｄａｙからステップＳ８０５で算出された夜間目標貯湯量Ｗｎｉｇｈｔを減算した値を、調整制御を行った場合の昼間沸き上げ湯量Ｗｎｏｏｎとして算出する。また、情報入出力部６５０は、算出した調整制御を行った場合の昼間沸き上げ湯量Ｗｎｏｏｎを給湯機４の沸き上げ能力で除算した値を、調整制御を行った場合の余剰活用電力量として算出する。
【０１６４】
情報入出力部６５０は、給湯機４の制御モードとして通常モードが選択された場合の夜間目標貯湯量Ｗｎｉｇｈｔ及び昼間沸き上げ湯量Ｗｎｏｏｎを取得する（ステップＳ９０２）。具体的に説明すると、情報入出力部６５０は、ステップＳ６０２で算出された沸き上げ可能時間ＴｍａｘがステップＳ６０５で算出された必要沸き上げ時間Ｔｎｏｏｎより大きいか否かを判定し、沸き上げ可能時間Ｔｍａｘが必要沸き上げ時間Ｔｎｏｏｎより大きいと判定すると、ステップＳ１０１で決定された一日の沸き上げ湯量ＷｄａｙからステップＳ６０４で設定された昼間沸き上げ湯量Ｗｎｏｏｎを減算した値を夜間目標貯湯量Ｗｎｉｇｈｔとして算出する。一方、沸き上げ可能時間Ｔｍａｘが必要沸き上げ時間Ｔｎｏｏｎ以下であると判定すると、情報入出力部６５０は、ステップＳ１０１で決定された一日の沸き上げ湯量ＷｄａｙからステップＳ６０３で算出された沸き上げ可能湯量Ｗｍａｘを減算した値を、夜間目標貯湯量Ｗｎｉｇｈｔとして算出する。また、情報入出力部６５０は、ステップＳ１０１で決定された一日の沸き上げ湯量Ｗｄａｙから、夜間目標貯湯量算出部６３４によって算出された通常モードの場合の夜間目標貯湯量Ｗｎｉｇｈｔを減算した値を、通常モードの場合の昼間沸き上げ湯量Ｗｎｏｏｎとして算出する。
【０１６５】
情報入出力部６５０は、給湯機４の制御モードとして停止モードが選択された場合の夜間目標貯湯量Ｗｎｉｇｈｔ、昼間沸き上げ湯量Ｗｎｏｏｎ及び余剰活用電力量を取得する（ステップＳ９０３）。具体的に説明すると、情報入出力部６５０は、ステップＳ１０１で決定された一日の沸き上げ湯量Ｗｄａｙを、停止モードの場合の夜間目標貯湯量Ｗｎｉｇｈｔとして取得する。また、情報入出力部６５０は、０Ｌを停止モードの場合の昼間沸き上げ湯量Ｗｎｏｏｎとして取得し、０ｋＷｈを停止モードの場合の余剰活用電力量として取得する。
【０１６６】
次に、情報入出力部６５０は、家屋Ｈにおけるイベントの発生予定に応じて夜間目標貯湯量Ｗｎｉｇｈｔを調整することを許可するか否かをユーザに問い合わせる問合せ情報を生成する（ステップＳ９０４）。
【０１６７】
情報入出力部６５０は、ステップＳ８０５及びステップＳ９０１〜Ｓ９０３で取得された各数値を表す情報を、ステップＳ９０４で生成された問合せ情報と共に格納することにより通知情報を生成する（ステップＳ９０５）。情報入出力部６５０は、ステップＳ９０５で生成された通知情報を情報記憶部６７０に格納し（ステップＳ９０６）、情報生成処理を終了する。
【０１６８】
図２４に戻って、ステップＳ８０７の情報生成処理が終了した後、情報入出力部６５０は、操作端末７に、ステップＳ９０５で生成された通知情報をユーザへ提示させる（ステップＳ８０８）。具体的に説明すると、情報入出力部６５０は、ステップＳ９０５で生成された通知情報を操作端末７に送信し、操作端末７に、この通知情報を表す許可画面ＷＷ２を表示させる。
【０１６９】
次に、情報入出力部６５０は、操作端末７から応答情報を受信したか否かを判定する（ステップＳ８０９）。応答情報を受信していないと情報入出力部６５０が判定すると（ステップＳ８０９；Ｎｏ）、夜間目標貯湯量算出部６３４が、ステップＳ８０８で通知情報をユーザへ提示させてから予め設定された待機時間が経過したか否かを判定する（ステップＳ８１４）。待機時間が経過していないと判定すると（ステップＳ８１４；Ｎｏ）、処理はステップＳ８０９へ戻り、応答情報の受信を待機する。待機時間が経過したと判定すると（ステップＳ８１４；Ｙｅｓ）、処理はステップＳ８１１へ移る。
【０１７０】
一方、応答情報を受信したと情報入出力部６５０が判定すると（ステップＳ８０９；Ｙｅｓ）、夜間目標貯湯量算出部６３４は、受信された応答情報に基づいて、夜間目標貯湯量Ｗｎｉｇｈｔをイベントの発生予定に応じて調整することをユーザが許可したか否かを判定する（ステップＳ８１０）。ユーザが調整を許可したと判定すると（ステップＳ８１０；Ｙｅｓ）、夜間目標貯湯量算出部６３４は、ステップＳ８０３，Ｓ８１２又はＳ８１３で算出された夜間目標貯湯量Ｗｎｉｇｈｔを、ステップＳ８０５で算出された夜間目標貯湯量Ｗｎｉｇｈｔへ調整し（ステップＳ８１１）、第２処理を終了する。一方、ユーザが調整を許可しなかったと判定すると（ステップＳ８１０；Ｎｏ）、夜間目標貯湯量算出部６３４は、ステップＳ８０３，Ｓ８１２又はＳ８１３で算出された夜間目標貯湯量Ｗｎｉｇｈｔを調整することなく、第２処理を終了する。
【０１７１】
図１７に戻って、ステップＳ１０２の夜間目標貯湯量算出処理が終了した後、昼間沸き上げ湯量算出部６３５は、ステップＳ１０１で決定された一日の沸き上げ湯量ＷｄａｙからステップＳ１０２で算出された夜間目標貯湯量Ｗｎｉｇｈｔを減算した値を昼間沸き上げ湯量Ｗｎｏｏｎとして算出し、算出した昼間沸き上げ湯量ＷｎｏｏｎによってステップＳ６０４で設定された昼間沸き上げ湯量Ｗｎｏｏｎを更新する（ステップＳ１０３）。
【０１７２】
次に、制御部６０は、沸き上げ処理を実行する（ステップＳ１０４）。以下、ステップＳ１０４の沸き上げ処理の詳細について、図２６のフローチャートを参照して説明する。
【０１７３】
沸き上げ処理を開始すると、動作制御部６４０は、ステップＳ１０２で算出された夜間目標貯湯量Ｗｎｉｇｈｔと、ステップＳ１０３で更新された昼間沸き上げ湯量Ｗｎｏｏｎと、ステップＳ６０１で決定された昼間沸き上げ期間の開始時刻及び終了時刻と、を表す沸き上げスケジュールを生成する（ステップＳ１００１）。動作制御部６４０は、ステップＳ１００１で生成された沸き上げスケジュールを給湯機４に送信し（ステップＳ１００２）、給湯機４にこの沸き上げスケジュールに従った湯の沸き上げ運転を実行させる。
【０１７４】
次に、情報入出力部６５０が、情報記憶部６７０に記憶されたモード情報に基づいて、給湯機４の制御モードとして停止モードが選択されているか否かを判定する（ステップＳ１００３）。制御モードとして停止モードが選択されていると判定すると（ステップＳ１００３；Ｙｅｓ）、情報入出力部６５０は、沸き上げ処理を終了する。一方、制御モードとして停止モードが選択されていないと判定すると（ステップＳ１００３；Ｎｏ）、情報入出力部６５０は、運転報知情報を生成する（ステップＳ１００４）。情報入出力部６５０は、操作端末７に、ステップＳ１００４で生成された運転報知情報をユーザへ提示させ（ステップＳ１００５）、沸き上げ処理を終了する。具体的に説明すると、情報入出力部６５０は、ステップＳ１００４で生成された運転報知情報を操作端末７に送信し、操作端末７に、この運転報知情報を表す運転報知画面ＷＷ３を表示させる。
【０１７５】
図１７に戻って、ステップＳ１０４の沸き上げ処理が終了した後、情報入出力部６５０は、効果報知処理を実行し（ステップＳ１０５）、制御処理を終了する。以下、ステップＳ１０５の効果報知処理の詳細について、図２７のフローチャートを参照して説明する。
【０１７６】
効果報知処理を開始すると、まず、情報入出力部６５０が、情報記憶部６７０に記憶されたモード情報に基づいて、給湯機４の制御モードとして提案モードが選択されているか否かを判定する（ステップＳ１１０１）。提案モードが選択されていないと判定すると（ステップＳ１１０１；Ｎｏ）、情報入出力部６５０は、効果報知処理を終了する。一方、提案モードが選択されていると判定すると（ステップＳ１１０１；Ｙｅｓ）、情報入出力部６５０は、現在時刻がステップＳ６０１で決定された昼間沸き上げ期間の終了時刻であるか否かを判定する（ステップＳ１１０２）。現在時刻が昼間沸き上げ期間の終了時刻ではないと判定すると（ステップＳ１１０２；Ｎｏ）、処理はステップＳ１１０２に戻り、昼間沸き上げ期間の終了時刻の到来を待機する。
【０１７７】
現在時刻が昼間沸き上げ期間の終了時刻であると判定すると（ステップＳ１１０２；Ｙｅｓ）、情報入出力部６５０は、余剰活用電力量の実測値と、昼間沸き上げ時間の実測値と、電気料金削減額の実績と、を取得する（ステップＳ１１０３）。具体的に説明すると、情報入出力部６５０は、計測データ記憶部６６０に記憶されている給湯機４に供給された電力Ｐ３の計測値を参照し、ステップＳ６０１で決定された昼間沸き上げ期間における電力Ｐ３の量を余剰活用電力量の実測値として取得する。情報入出力部６５０は、取得した余剰活用電力量の実測値を、給湯機４の消費電力で除算した値を昼間沸き上げ時間の実測値として取得する。また、情報入出力部６５０は、取得した余剰活用電力量の実測値に、夜間における商用電力の買電単価を乗算した値を電気料金削減額の実績として取得する。
【０１７８】
次に、情報入出力部６５０は、給湯機４の制御モードとして通常モードが選択されていた場合の昼間沸き上げ時間の予測値と、余剰活用電力量の予測値と、を算出する（ステップＳ１１０４）。具体的に説明すると、情報入出力部６５０は、ステップＳ９０６で情報記憶部６７０に格納された通知情報が示す通常モードの場合の昼間沸き上げ湯量Ｗｎｏｏｎを給湯機４の沸き上げ能力で除算した値を、通常モードの場合の昼間沸き上げ時間の予測値として算出する。情報入出力部６５０は、算出した通常モードの場合の昼間沸き上げ時間の予測値に、給湯機４の消費電力である電力Ｐｗを乗算した値を、通常モードの場合の余剰活用電力量の予測値として算出する。
【０１７９】
情報入出力部６５０は、給湯機４の制御モードとして停止モードが選択されていた場合の昼間沸き上げ時間の予測値と、余剰活用電力量の予測値と、を算出する（ステップＳ１１０５）。具体的に説明すると、情報入出力部６５０は、０時間を停止モードの場合の昼間沸き上げ時間の予測値として算出する。また、情報入出力部６５０は、０ｋＷｈを停止モードの場合の余剰活用電力量の予測値として算出する。
【０１８０】
情報入出力部６５０は、ステップＳ１１０３〜Ｓ１１０５で取得された各数値を表す情報を格納することによって効果報知情報を生成する（ステップＳ１１０６）。情報入出力部６５０は、操作端末７に、生成した効果報知情報をユーザへ提示させ（ステップＳ１１０７）、効果報知処理を終了する。具体的に説明すると、情報入出力部６５０は、ステップＳ１１０６で生成された効果報知情報を操作端末７に送信し、操作端末７に、この効果報知情報を表す効果報知画面ＷＷ４を表示させる。
【０１８１】
以上説明したように、電力管理システム１によれば、給湯機４の制御モードとして提案モードが選択されている場合、制御装置６が、操作端末７に、夜間目標貯湯量Ｗｎｉｇｈｔに関する情報と、昼間沸き上げ湯量Ｗｎｏｏｎに関する情報と、を含む通知情報をユーザへ提示させる。ユーザは、通知情報を参照することにより、余剰電力を活用した給湯機４の沸き上げ運転が及ぼす影響を直感的に把握することができる。
【０１８２】
また、通知情報は、調整制御の実行を許可するか否かをユーザへ問い合わせる問合せ情報を含んでいる。制御装置６は、調整制御の実行をユーザが許可したか否かに応じて、夜間目標貯湯量Ｗｎｉｇｈｔを決定する。これにより、ユーザの意図に反して調整制御が行われる可能性を低減することができる。
【０１８３】
また、制御装置６は、給湯機４の制御モードとして提案モードが選択されている場合、操作端末７に、効果報知情報をユーザへ提示させる。これにより、ユーザは、湯の沸き上げに使用される商用電力の量を削減する制御の効果を把握することができる。
【０１８４】
また、給湯機４は、複数の制御モードのうちユーザによって選択された制御モードに従って沸き上げ運転を行う。これにより、給湯機４は、ユーザによる湯の使用予定に即して沸き上げ運転を行い、沸き上げ運転で使用される余剰電力の量を増大させたり、湯切れが発生する可能性を低減したりすることができる。
【０１８５】
また、制御装置６は、給湯機４の制御モードとして自動モードが選択されている場合、調整制御を実行することにより、湯切れが発生する可能性を低減しつつ、湯の沸き上げに活用される余剰電力の量を増大させることができる。すなわち、給湯機４の制御モードとして自動モードが選択されている場合、ユーザが操作を行うことなく、制御装置６が、湯切れが発生する可能性を低減しつつ、湯の沸き上げに活用される余剰電力の量を増大させるために必要な調整処理を実行する。従って、操作性が向上する。
【０１８６】
また、制御装置６は、給湯機４の制御モードとして提案モードが選択されている場合、操作端末７に、調整制御を行った場合の夜間目標貯湯量Ｗｎｉｇｈｔ及び昼間沸き上げ湯量Ｗｎｏｏｎを示す情報と、通常モード時の夜間目標貯湯量Ｗｎｉｇｈｔ及び昼間沸き上げ湯量Ｗｎｏｏｎを示す情報と、を含む通知情報をユーザへ提示させる。ユーザは、この通知情報を参照し、調整制御を行った場合の夜間目標貯湯量Ｗｎｉｇｈｔ及び昼間沸き上げ湯量Ｗｎｏｏｎを、通常モード時及び停止モード時の夜間目標貯湯量Ｗｎｉｇｈｔ及び昼間沸き上げ湯量Ｗｎｏｏｎと比較することによって、調整制御を行うことによる影響を直感的に把握することができる。
【０１８７】
また、制御装置６は、家屋Ｈにおけるイベントの発生予定に応じたカレンダーマージンに基づいて一日の沸き上げ湯量Ｗｄａｙを決定することにより、一日の沸き上げ湯量Ｗｄａｙを家屋Ｈにおけるイベントの発生予定に応じて調整する。これにより、湯切れが発生する可能性を低減すると共に、過剰に湯を沸き上げてしまい電力を浪費する可能性を低減することができる。
【０１８８】
さらに、制御装置６は、翌日が初冬であるか否かを判定し、この判定の結果に応じて季節マージンを決定することにより、一日の沸き上げ湯量Ｗｄａｙを季節に応じて調整する。これにより、湯切れが発生する可能性を低減すると共に、過剰に湯を沸き上げてしまい電力を浪費する可能性を低減することができる。
【０１８９】
以上、本発明の実施の形態を説明したが、本発明を実施するにあたっては、種々の形態による変形及び応用が可能である。
【０１９０】
例えば、制御装置６が、ユーザからの操作を受け付けるための入力デバイスと、ユーザに情報を提示するための表示デバイスをさらに含んで構成されるようにしてもよい。
【０１９１】
また、制御装置６を家屋Ｈに設置せずに、図２８に示すように、ルータ１２と管理サーバ８とが協調して制御装置６と同等の役割を果たすようにしてもよい。
【０１９２】
上記実施の形態では、操作端末７が、通知情報、運転報知情報及び効果報知情報をユーザへ提示するものとして説明した。しかし、これは一例に過ぎず、任意の機器が、通知情報、運転報知情報及び効果報知情報をユーザへ提示することができる。例えば、給湯機４の備えるリモコン４４が、通知情報、運転報知情報及び効果報知情報をユーザへ提示してもよい。この場合、制御装置６は、宅内ネットワークを介して、通知情報、運転報知情報及び効果報知情報をリモコン４４へ送信する。リモコン４４は、制御装置６によって送信された通知情報、運転報知情報及び効果報知情報を通信インタフェースによって受信する。リモコン４４は、受信した通知情報、運転報知情報及び効果報知情報をそれぞれ表す許可画面ＷＷ２、運転報知画面ＷＷ３及び効果報知画面ＷＷ４を表示デバイスに表示する。これにより、通知情報、運転報知情報及び効果報知情報がユーザへ提示される。
【０１９３】
上記実施の形態では、制御装置６と操作端末７とが宅内ネットワークを介して情報を送受信するものとして説明した。しかし、これは一例に過ぎず、制御装置６と操作端末７とは、任意の方法で情報を送受信することができる。例えば、制御装置６と操作端末７とは、広域ネットワークＮを介して情報を送受信してもよい。すなわち、制御装置６は、通知情報、運転報知情報及び効果報知情報を、広域ネットワークＮを介して操作端末７に送信し、操作端末７にこれらの情報をユーザへ提示させてもよい。また、操作端末７は、ユーザの操作に従って生成したモード情報、カレンダー情報及び応答情報を、広域ネットワークＮを介して制御装置６に送信してもよい。この形態によれば、ユーザが家屋Ｈから離れた遠隔地にいる場合であっても、制御装置６は、操作端末７に、通知情報、運転報知情報及び効果報知情報をユーザへ提示させることができる。また、ユーザは、家屋Ｈから離れた遠隔地にいる場合であっても、操作端末７を操作することにより、制御装置６に指示を送信することができる。なお、制御装置６と操作端末７とは、広域ネットワークＮを介して、情報を直接に送受信してもよいし、管理サーバ８を経由して情報を送受信してもよい。すなわち、制御装置６は、通知情報、運転報知情報及び効果報知情報を、広域ネットワークＮを介して管理サーバ８に送信し、管理サーバ８に、これらの情報を、広域ネットワークＮを介して操作端末７に送信させてもよい。また、操作端末７は、モード情報、カレンダー情報及び応答情報を、広域ネットワークＮを介して管理サーバ８に送信し、管理サーバ８に、これらの情報を、広域ネットワークＮを介して操作端末７に送信させてもよい。
【０１９４】
上記実施の形態では、給湯機４の制御モードとして提案モードが選択されている場合、制御装置６は、操作端末７に問合せ情報をユーザへ提示させてから待機時間が経過すると、多めモードの場合と同様の処理によって算出された夜間目標貯湯量Ｗｎｉｇｈｔを家屋Ｈにおけるイベントの発生予定に応じて調整した場合の夜間目標貯湯量Ｗｎｉｇｈｔを夜間目標貯湯量Ｗｎｉｇｈｔとして決定するものとして説明した。しかし、これは一例に過ぎず、制御装置６は、操作端末７に問合せ情報をユーザへ提示させてから待機時間が経過すると、多めモードの場合と同様の処理によって算出された夜間目標貯湯量Ｗｎｉｇｈｔを夜間目標貯湯量Ｗｎｉｇｈｔとして決定してもよい。この形態によれば、ユーザの意思に反して夜間目標貯湯量Ｗｎｉｇｈｔが調整されてしまう可能性を低減することができる。
【０１９５】
上記実施の形態では、給湯機４の制御モードとして提案モードが選択されている場合、制御装置６は、夜間目標貯湯量Ｗｎｉｇｈｔを調整することをユーザが拒否したと判定すると、上述した多めモードにおける処理と同様の処理を実行して算出した夜間目標貯湯量Ｗｎｉｇｈｔを夜間目標貯湯量Ｗｎｉｇｈｔとして決定するものとして説明した。しかし、これは一例に過ぎず、制御装置６は、夜間目標貯湯量Ｗｎｉｇｈｔを調整することをユーザが拒否したと判定した場合、上述した停止モード、少なめモード又は通常モードの何れかにおける処理と同様の処理を実行して算出した夜間目標貯湯量Ｗｎｉｇｈｔを夜間目標貯湯量Ｗｎｉｇｈｔとして決定してもよい。言い換えると、制御装置６は、夜間目標貯湯量Ｗｎｉｇｈｔを調整することをユーザが拒否したと判定した場合、自動モードとも多めモードとも異なる制御モードが選択された場合における夜間目標貯湯量Ｗｎｉｇｈｔへ夜間目標貯湯量Ｗｎｉｇｈｔを調整してもよい。
【０１９６】
上記実施の形態では、給湯機４の制御モードとして自動モードが選択されている場合、制御装置６は、上述した多めモードにおける処理と同様の処理を実行することによって算出された夜間目標貯湯量Ｗｎｉｇｈｔを、家屋Ｈにおけるイベントの発生予定に応じて調整するものとして説明した。しかし、これは一例に過ぎず、制御装置６は、給湯機４の制御モードとして自動モードが選択されている場合、上述した通常モード又は少なめモードにおける処理と同様の処理を実行することによって算出された夜間目標貯湯量Ｗｎｉｇｈｔを、家屋Ｈにおけるイベントの発生予定に応じて調整してもよい。
【０１９７】
上記実施の形態では、制御装置６は、給湯機４の制御モードとして提案モードが選択されている場合に、操作端末７に通知情報をユーザへ提示させるものとして説明した。しかし、これは一例に過ぎず、制御装置６は、給湯機４の制御モードとして提案モード以外の制御モードが選択されている場合においても、操作端末７に通知情報をユーザへ提示させてもよい。
【０１９８】
上記実施の形態では、操作端末７が、通知情報を表す許可画面ＷＷ２を表示することによって通知情報をユーザへ提示するものとして説明した。しかし、これは一例に過ぎず、操作端末７は、任意の方法によって通知情報をユーザへ提示できる。例えば、操作端末７は、音声出力手段を備え、通知情報を表す音声を発音することによって通知情報をユーザへ提示してもよい。
【０１９９】
上記実施の形態では、通知情報が、図１４に示すように、自動モードに対応する夜間目標貯湯量Ｗｎｉｇｈｔ及び昼間沸き上げ湯量Ｗｎｏｏｎを示す情報と共に、停止モード及び通常モードに対応する夜間目標貯湯量Ｗｎｉｇｈｔ及び昼間沸き上げ湯量Ｗｎｏｏｎをそれぞれ示す情報を含んでいるものとして説明した。しかし、これは一例に過ぎず、通知情報は、多めモード又は少なめモードに対応する夜間目標貯湯量Ｗｎｉｇｈｔ及び昼間沸き上げ湯量Ｗｎｏｏｎを示す情報を含んでいてもよい。なお、自動モードに対応する夜間目標貯湯量Ｗｎｉｇｈｔ及び昼間沸き上げ湯量Ｗｎｏｏｎを示す情報と共に、多めモードに対応する夜間目標貯湯量Ｗｎｉｇｈｔ及び昼間沸き上げ湯量Ｗｎｏｏｎを示す情報が通知情報に含まれている場合、ユーザは、この通知情報を参照することにより、調整制御を行う前後の夜間目標貯湯量Ｗｎｉｇｈｔ及び昼間沸き上げ湯量Ｗｎｏｏｎを把握できる。このため、ユーザは、調整制御の効果を直感的に把握することができる。
【０２００】
上記実施の形態では、制御装置６は、給湯機４の制御モードとして提案モードが選択されている場合に、操作端末７に通知情報をユーザへ提示させるものとして説明した。しかし、これは一例に過ぎず、制御装置６は、給湯機４の制御モードとして提案モード以外の制御モードが選択されている場合においても、操作端末７に通知情報をユーザへ提示させることができる。
【０２０１】
上記実施の形態では、通知情報は、図１４に示すように、自動モード、停止モード及び通常モードにそれぞれ対応する夜間目標貯湯量Ｗｎｉｇｈｔ及び昼間沸き上げ湯量Ｗｎｏｏｎを示す情報と、停止モード及び自動モードに対応する余剰活用電力量を示す情報と、を含んでいるものとして説明した。しかし、これは一例に過ぎず、通知情報は、夜間目標貯湯量Ｗｎｉｇｈｔ及び昼間沸き上げ湯量Ｗｎｏｏｎに関する任意の情報を含むことができる。
【０２０２】
例えば、通知情報は、停止モード、通常モード及び自動モードにそれぞれ対応する余剰活用電力量を示す情報を含んでいてもよい。この場合、制御装置６は、操作端末７に、図２９に示す許可画面ＷＷ２を表示させることにより、この通知情報をユーザへ提示させればよい。
【０２０３】
或いは、通知情報は、停止モード、通常モード及び自動モードにそれぞれ対応する電気料金削減額を示す情報を含んでいてもよい。この場合、制御装置６は、操作端末７に、図３０に示す許可画面ＷＷ２を表示させることにより、この通知情報をユーザへ提示させればよい。
【０２０４】
或いは、通知情報は、湯切れが発生する可能性をユーザに警告する情報と、湯の使用用途と平均使用湯量とを互いに対応付けて含む情報と、を含んでいてもよい。この場合、制御装置６は、操作端末７に、図３１に示す許可画面ＷＷ２を表示させることにより、この通知情報をユーザへ提示させればよい。
【０２０５】
或いは、通知情報は、ユーザに夜間目標貯湯量Ｗｎｉｇｈｔ及び昼間沸き上げ湯量Ｗｎｏｏｎの調整をユーザに促す情報と、ユーザによる操作に従って調整された夜間目標貯湯量Ｗｎｉｇｈｔに関する情報と、を含んでいてもよい。この場合、制御装置６は、操作端末７に、図３２に示す許可画面ＷＷ２を表示させることにより、この通知情報をユーザへ提示させればよい。図３２に示す許可画面ＷＷ２には、ユーザによる操作に従って調整された夜間目標貯湯量Ｗｎｉｇｈｔに関する情報として、夜間目標貯湯量Ｗｎｉｇｈｔを調整する前後の余剰活用電力量の変化を示す情報が含まれている。なお、通知情報は、ユーザによる操作に従って調整された夜間目標貯湯量Ｗｎｉｇｈｔに関する情報として、夜間目標貯湯量Ｗｎｉｇｈｔを調整する前後における昼間沸き上げ湯量Ｗｎｏｏｎ、電気料金削減額又は昼間沸き上げ時間の変化を示す情報を含んでいてもよい。
【０２０６】
或いは、通知情報は、昼間沸き上げ湯量Ｗｎｏｏｎを沸き上げるために必要な時間である昼間沸き上げ時間を示す情報を含んでいてもよい。
【０２０７】
上記実施の形態では、給湯機４の制御モードとして停止モード以外の制御モードが選択されている場合、何れの制御モードが選択されているかに関わらず一律に図１５に示す運転報知画面ＷＷ３を表示するものとして説明した。しかし、これは一例に過ぎず、制御装置６は、給湯機４の制御モードとして停止モード以外の制御モードが選択されている場合、操作端末７に、何れの制御モードが選択されているかに応じて異なる運転報知情報をユーザへ提示させてもよい。例えば、通常モード又は少なめモードが選択されている場合には、図１５に示す運転報知画面ＷＷ３が表す運転報知情報をユーザへ提示させる一方、多めモード又は自動モードが選択されている場合には、図３３に示す運転報知画面ＷＷ３が表す、湯切れが発生する可能性をユーザへ警告する情報を含む運転報知情報をユーザへ提示させてもよい。
【０２０８】
上記実施の形態では、制御装置６は、給湯機４の制御モードとして提案モードが選択されている場合、操作端末７に、効果報知情報をユーザへ提示させるものとして説明した。しかし、これは一例に過ぎず、制御装置６は、給湯機４の制御モードとして提案モード以外の制御モードが選択されている場合にも、操作端末７に、効果報知情報をユーザへ提示させてもよい。
【０２０９】
上記実施の形態では、効果報知情報は、昼間沸き上げ時間の実測値を示す情報と、余剰活用電力量の実測値を示す情報と、電気料金削減額の実績を示す情報と、停止モード及び通常モードがそれぞれ選択されていた場合における昼間沸き上げ湯量Ｗｎｏｏｎの予測値に関する情報と、を含んでいるものとして説明した。しかし、これは一例に過ぎず、効果報知情報は、他の情報を含んでいてもよい。例えば、効果報知情報は、給湯機４が余剰電力である電力Ｐｓのみを用いて湯の沸き上げを行った際に沸き上げられた湯量である昼間沸き上げ湯量の実測値を示す情報を含んでいてもよい。また、効果報知情報は、停止モード及び通常モードがそれぞれ選択されていた場合における昼間沸き上げ湯量Ｗｎｏｏｎの予測値に関する情報として、当該昼間沸き上げ湯量Ｗｎｏｏｎを示す情報、当該昼間沸き上げ湯量Ｗｎｏｏｎを給湯機４が沸き上げるために要する時間の予測値を示す情報、当該昼間沸き上げ湯量Ｗｎｏｏｎを給湯機４が沸き上げるために消費する余剰電力の量の予測値を示す情報、当該昼間沸き上げ湯量Ｗｎｏｏｎを給湯機４が沸き上げるために消費する余剰電力の量の予測値と同じ量の商用電力の価格を示す情報、の少なくとも一つを含んでいてもよい。
【０２１０】
上記実施の形態では、効果報知情報は、停止モード及び通常モードが選択された場合における昼間沸き上げ湯量Ｗｎｏｏｎの予測値に関する情報を含んでいるものとして説明した。しかし、これは一例に過ぎず、効果報知情報は、多めモード又は少なめモードが選択された場合における昼間沸き上げ湯量Ｗｎｏｏｎの予測値に関する情報を含んでいてもよい。或いは、効果報知情報は、昼間沸き上げ湯量算出部６３５によって算出された、提案モードが選択された場合における昼間沸き上げ湯量Ｗｎｏｏｎの予測値に関する情報を含んでいてもよい。この形態によれば、ユーザは、提案モードに従って給湯機４が湯の沸き上げを行った際の昼間沸き上げ湯量Ｗｎｏｏｎの実測値に関する情報を、昼間沸き上げ湯量算出部６３５によって算出された、提案モードが選択された場合における昼間沸き上げ湯量Ｗｎｏｏｎの予測値に関する情報と比較することができる。これにより、ユーザは、昼間沸き上げの効果を直感的に把握することができる。
【０２１１】
上記実施の形態では、一日の沸き上げ湯量決定部６３１が、イベントの影響による家屋Ｈにおける在宅人数の変化量に応じたカレンダーマージンを決定するものとして説明した。しかし、これは一例に過ぎず、一日の沸き上げ湯量決定部６３１は、任意の方法によって、家屋Ｈにおけるイベントの発生予定に応じたカレンダーマージンを決定することができる。例えば、一日の沸き上げ湯量決定部６３１は、情報記憶部６７０が記憶するカレンダー情報に基づいて、イベントの影響による家屋Ｈにおける使用湯量の変化量に応じたカレンダーマージンを決定することができる。
【０２１２】
具体的に、一日の沸き上げ湯量決定部６３１は、図３４のフローチャートに示すカレンダーマージン決定処理を実行することにより、使用湯量の変化量に応じたカレンダーマージンを決定すればよい。カレンダーマージン決定処理を開始すると、一日の沸き上げ湯量決定部６３１は、まず、カレンダー情報が含むイベント情報のうち、翌日に発生が予定されているイベントに関するイベント情報を抽出する（ステップＳ１２０１）。一日の沸き上げ湯量決定部６３１は、ステップＳ１２０１で抽出されたイベント情報に含まれている湯量マージンを合計した値をカレンダーマージンとして決定し（ステップＳ１２０２）、カレンダーマージン決定処理を終了する。
【０２１３】
なお、上記実施の形態に係るカレンダーマージンの決定方法と、本変形例に係るカレンダーマージンの決定方法と、は併用することができる。例えば、これら２つの決定方法によってそれぞれ決定したカレンダーマージンの重み付き平均値をカレンダーマージンとして決定してもよい。
【０２１４】
上記実施の形態では、一日の沸き上げ湯量決定部６３１は、翌日が初冬であるか否かを、当日の日付と、情報記憶部６７０によって記憶された気象情報が示す当日の気温の実績値及び翌日の気温の予測値と、に従って判定し、この判定の結果に応じて季節マージンを決定するものとして説明した。しかし、これは一例に過ぎず、一日の沸き上げ湯量決定部６３１は、任意の方法によって翌日が初冬であるか否かを判定し、この判定の結果に応じて季節マージンを決定することができる。例えば、一日の沸き上げ湯量決定部６３１は、翌日が初冬であるか否かを、当日の日付と、情報記憶部６７０によって記憶された過去２週間の使用湯量を示す湯量情報と、に従って判定し、この判定の結果に応じて季節マージンを決定することができる。
【０２１５】
具体的に、一日の沸き上げ湯量決定部６３１は、図３５のフローチャートに示す季節マージン決定処理を実行することにより、季節マージンを決定すればよい。季節マージン決定処理を開始すると、一日の沸き上げ湯量決定部６３１は、まず、当日の日付が１１月と１２月との何れかであるか否かを判定する（ステップＳ１３０１）。当日の日付が１１月でも１２月でもないと判定すると（ステップＳ１３０１；Ｎｏ）、一日の沸き上げ湯量決定部６３１は、０Ｌを季節マージンとして決定し（ステップＳ１３０４）、季節マージン決定処理を終了する。当日の日付が１１月と１２月との何れかであると判定すると（ステップＳ１３０１；Ｙｅｓ）、一日の沸き上げ湯量決定部６３１は、情報記憶部６７０によって記憶された湯量情報が示す当日の使用湯量が、この湯量情報が示す前日の使用湯量より１００Ｌ以上多いか否かを判定する（ステップＳ１３０２）。当日の使用湯量が前日の使用湯量より１００Ｌ以上多くないと判定すると（ステップＳ１３０２；Ｎｏ）、一日の沸き上げ湯量決定部６３１は、０Ｌを季節マージンとして決定し（ステップＳ１３０４）、季節マージン決定処理を終了する。一方、当日の使用湯量が前日の使用湯量より１００Ｌ以上多いと判定すると（ステップＳ１３０２；Ｙｅｓ）、一日の沸き上げ湯量決定部６３１は、１００Ｌを季節マージンとして決定し（ステップＳ１３０３）、季節マージン決定処理を終了する。
【０２１６】
なお、上記実施の形態に係る季節の判定方法と、本変形例に係る季節の判定と、は併用することができる。例えば、これら２つの判定方法によってそれぞれ翌日が初冬であるか否かを判定し、両方の判定方法によって翌日が初冬であると判定された場合に、翌日が初冬であると判定してもよい。なお、上記実施の形態では、一日の沸き上げ湯量決定部６３１は、イベントの発生予定に応じたイベントマージンと、季節の判定結果に応じた季節マージンと、の両方に応じて一日の沸き上げ湯量Ｗｄａｙを決定するものとして説明した。しかし、これは一例に過ぎず、一日の沸き上げ湯量決定部６３１は、任意の方法で一日の沸き上げ湯量Ｗｄａｙを決定できる。例えば、一日の沸き上げ湯量決定部６３１は、イベントマージンと季節マージンとの何れか一方のみに応じて一日の沸き上げ湯量Ｗｄａｙを決定してもよい。具体的に、一日の沸き上げ湯量決定部６３１は、湯量情報が示す過去２週間の平均使用湯量に、イベントマージンと季節マージンとの何れか一方のみを加算することによって一日の沸き上げ湯量Ｗｄａｙを算出すればよい。また、一日の沸き上げ湯量決定部６３１は、過去２週間の平均使用湯量の代わりに予め設定された湯量に基づいて一日の沸き上げ湯量Ｗｄａｙを決定してもよい。具体的に、一日の沸き上げ湯量決定部６３１は、予め設定された湯量にイベントマージンと季節マージンとを加算することによって一日の沸き上げ湯量Ｗｄａｙを算出すればよい。
【０２１７】
上記実施の形態では、一日の沸き上げ湯量決定部６３１は、翌日が初冬であるか否かを判定し、この判定の結果に応じて季節マージンを決定するものとして説明した。しかし、これは一例に過ぎず、一日の沸き上げ湯量決定部６３１は、翌日が任意の季節であるか否かを判定し、この判定の結果に応じて季節マージンを決定することができる。例えば、一日の沸き上げ湯量決定部６３１は、翌日が、春から夏への季節の変わり目である初夏であるか否かを判定し、この判定の結果に応じて季節マージンを決定することができる。この場合、一日の沸き上げ湯量決定部６３１は、翌日が初夏であると判定した場合には予め設定された一の湯量を季節マージンとして決定する一方、翌日が初夏ではないと判定した場合には当該一の湯量よりも少ない予め設定された他の湯量を季節マージンとして決定すればよい。なお、一日の沸き上げ湯量決定部６３１は、翌日が初夏であるか否かを、当日の日付と、情報記憶部６７０によって記憶された気象情報が示す当日の気温の実績値及び翌日の気温の予測値と、に従って判定すればよい。具体的に説明すると、一日の沸き上げ湯量決定部６３１は、当日の日付が５月と６月との何れかであり、かつ、翌日の気温の予測値が当日の気温の実績値よりも摂氏５度以上高い場合に、翌日が初夏であると判定すればよい。また、一日の沸き上げ湯量決定部６３１は、当日の日付が５月と６月との何れでもない場合、及び、翌日の気温の予測値が当日の気温の実績値よりも摂氏５度以上高くない場合には、翌日が初夏ではないと判定すればよい。或いは、一日の沸き上げ湯量決定部６３１は、翌日が初夏であるか否かを、当日の日付と、情報記憶部６７０によって記憶された、過去２週間の使用湯量を示す湯量情報と、に従って判定すればよい。具体的に説明すると、一日の沸き上げ湯量決定部６３１は、当日の日付が５月と６月との何れかであり、かつ、湯量情報が示す当日の使用湯量が、この湯量情報が示す前日の使用湯量より１００Ｌ以上多い場合に、翌日が初夏であると判定すればよい。また、一日の沸き上げ湯量決定部６３１は、当日の日付が５月と６月との何れでもない場合、及び、湯量情報が示す当日の使用湯量が、この湯量情報が示す前日の使用湯量より１００Ｌ以上多くない場合に、翌日が初夏ではないと判定すればよい。
【０２１８】
上記実施の形態では、発電設備２が、太陽光発電により電力を発電するものとして説明した。しかし、これは一例に過ぎず、発電設備２は、風力発電、地熱発電等の任意の方法で電力を発電することができる。
【０２１９】
上記実施の形態では、電力管理システム１が適用される対象として、家屋Ｈを例に挙げて説明した。しかしながら、本発明において、電力管理システム１が適用される対象は、家屋Ｈのような一般住宅であることに限らず、集合住宅、施設、ビル、工場等であっても良い。
【０２２０】
上記実施の形態では、制御装置６の制御部６０及び管理サーバ８の制御部８０において、ＣＰＵがＲＯＭ又は記憶部６１，８１に記憶されたプログラムを実行することによって、図６及び図９に示した各部として機能した。しかしながら、本発明において、制御部６０，８０は、専用のハードウェアであってもよい。専用のハードウェアとは、例えば単一回路、複合回路、プログラム化されたプロセッサ、ＡＳＩＣ（Application Specific Integrated Circuit）、ＦＰＧＡ（Field-Programmable Gate Array）、又は、これらの組み合わせである。制御部６０，８０が専用のハードウェアである場合、各部の機能それぞれを個別のハードウェアで実現してもよいし、各部の機能をまとめて単一のハードウェアで実現してもよい。
【０２２１】
また、各部の機能のうち、一部を専用のハードウェアによって実現し、他の一部をソフトウェア又はファームウェアによって実現してもよい。このように、制御部６０，８０は、ハードウェア、ソフトウェア、ファームウェア、又は、これらの組み合わせによって、上述の各機能を実現することができる。
【０２２２】
本発明に係る制御装置６及び管理サーバ８の動作を規定する動作プログラムを既存のパーソナルコンピュータ、情報端末装置等のコンピュータに適用することで、当該コンピュータを、本発明に係る制御装置６及び管理サーバ８として機能させることも可能である。
【０２２３】
また、このようなプログラムの配布方法は任意であり、例えば、ＣＤ−ＲＯＭ（Compact Disk ROM）、ＤＶＤ（Digital Versatile Disk）、ＭＯ（Magneto Optical Disk）、メモリカード等のコンピュータ読み取り可能な記録媒体に格納して配布してもよいし、インターネット等の通信ネットワークを介して配布してもよい。
【０２２４】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、請求の範囲によって示される。そして請求の範囲内及びそれと同等の発明の意義の範囲内で施される様々な変形が、この発明の範囲内とみなされる。
【産業上の利用可能性】
【０２２５】
本発明は、電力の管理を行うシステム等に好適に採用され得る。
【符号の説明】
【０２２６】
１  電力管理システム、２  発電設備、３  電力計測装置、４  給湯機、５（５ａ，５ｂ，…）  電気機器、６  制御装置、７  操作端末、８  管理サーバ、９  気象サーバ、１０  商用電力系統、１１  分電盤、１２  ルータ、２０  ＰＶパネル、２１  ＰＶ−ＰＣＳ、４０  ヒートポンプユニット、４１  タンクユニット、４２  水配管、４３  通信線、４４  リモコン、４５  シャワー、４６  蛇口、６０  制御部、６１  記憶部、６２  計時部、６３  宅内通信部、６４  宅外通信部、６５  バス、８０  制御部、８１  記憶部、８２  通信部、８３  バス、４００  圧縮機、４０１  第１の熱交換器、４０２  膨張弁、４０３  第２の熱交換器、４０４  送風機、４０５  水ポンプ、４０６  制御基板、４０７  冷媒配管、４１０  貯湯タンク、４１１  給湯コントローラ、４１２  混合弁、６００  計測データ取得部、６１０  履歴データ送信部、６２０  情報受信部、６３０  動作設定部、６３１  一日の沸き上げ湯量決定部、６３２  期間決定部、６３３  昼間沸き上げ湯量設定部、６３４  夜間目標貯湯量算出部、６３５  昼間沸き上げ湯量算出部、６４０  動作制御部、６５０  情報入出力部、６６０  計測データ記憶部、６７０  情報記憶部、８００  気象情報取得部、８１０  電力取得部、８２０  湯量取得部、８３０  予測部、８４０  予測情報送信部、８５０  湯量情報生成部、８６０  湯量情報送信部、８７０  データベース、８７１  気象予報情報、８７２  気象実績情報、８７３  発電電力情報、８７４  消費電力情報、８７５  使用湯量情報、８７６  貯湯量情報、Ｄ１〜Ｄ５  電力線、Ｈ  家屋、Ｎ  広域ネットワーク、ＷＷ１  設定画面、ＷＷ２  許可画面、ＷＷ３  運転報知画面、ＷＷ４  効果報知画面
【図１】
0006719672.tif 000002
【図２】
0006719672.tif 000003
【図３】
0006719672.tif 000004
【図４】
0006719672.tif 000005
【図５】
0006719672.tif 000006
【図６】
0006719672.tif 000007
【図７】
0006719672.tif 000008
【図８】
0006719672.tif 000009
【図９】
0006719672.tif 000010
【図１０】
0006719672.tif 000011
【図１１】
0006719672.tif 000012
【図１２】
0006719672.tif 000013
【図１３】
0006719672.tif 000014
【図１４】
0006719672.tif 000015
【図１５】
0006719672.tif 000016
【図１６】
0006719672.tif 000017
【図１７】
0006719672.tif 000018
【図１８】
0006719672.tif 000019
【図１９】
0006719672.tif 000020
【図２０】
0006719672.tif 000021
【図２１】
0006719672.tif 000022
【図２２】
0006719672.tif 000023
【図２３】
0006719672.tif 000024
【図２４】
0006719672.tif 000025
【図２５】
0006719672.tif 000026
【図２６】
0006719672.tif 000027
【図２７】
0006719672.tif 000028
【図２８】
0006719672.tif 000029
【図２９】
0006719672.tif 000030
【図３０】
0006719672.tif 000031
【図３１】
0006719672.tif 000032
【図３２】
0006719672.tif 000033
【図３３】
0006719672.tif 000034
【図３４】
0006719672.tif 000035
【図３５】
0006719672.tif 000036